(57)【特許請求の範囲】
【請求項１】
身体表面、着衣表面を有し、吸収性コアを具備する吸収製品であって、
前記該吸収製品は、前記身体表面の少なくとも一部に油系スキンケア組成物が付与されており、
前記吸収製品はバリアシートを有し、該バリアシートは、該バリアシートを通過する前記油系スキンケア組成物の移行を減少させるように処理されており、
前記バリアシートは、ベースシートを含み、その場合、そのベースシートは、フルオロアルキル塩、親水性ポリマー、無機粒子またはそれらの混合物からなる群より選ばれた成分を含む組成物によって処理されており、
前記吸収製品は、外側に延びるフラップを有し、前記吸収製品が用いられるとき着用者の下着に該フラップを固定するために該フラップの前記着衣表面の少なくとも一部に接着剤が設けられており、ここで前記フラップは前記吸収製品の前記身体表面上に折りたたまれており、かつ、前記バリアシートが、前記吸収製品の使用の前に前記接着剤を被覆し、
前記吸収製品は、バリアシートが、前記油系スキンケア組成物が付与された前記身体表面の少なくとも一部に接するように、前記吸収製品の使用の前に折りたたまれていることを特徴とする、吸収製品。
【請求項２】
前記吸収製品が該吸収製品を個別に包むためのメインラッパーシートを有する、請求項１に記載の吸収製品。
【請求項３】
前記親水性ポリマーが、ポリビニルアルコール、ポリエチレンビニルアルコール、ポリ酢酸ビニル、ポリエチレン酢酸ビニル、ポリアクリレート、ポリエチレンアクリレート、ポリメタクリレート、ポリエチレンメタクリレート、ポリエステル、ポリエーテル、ポリイミド、ポリアミド、またはそれらの混合物からなる群より選択される成分である、請求項１に記載の吸収製品。
【請求項４】
前記無機粒子が、カオリンクレー、ベントナイトクレー、モンモリロナイトクレー、ヘクトライトクレー、タルク、シリカ、ヒュームドシリカ、またはそれらの混合物からなる群より選択される、請求項１に記載の吸収製品。
【請求項５】
前記バリアシートが、加速マイグレーション試験により測定して、少なくとも１２時間の耐久効果を有する、請求項１に記載の吸収製品。
【発明の詳細な説明】
【０００１】
技術分野
本出願は、限定されないが、生理用ナプキンおよびパンティライナーのような女性用衛生着衣、おむつ、トレーニングパンツ、成人失禁デバイス、おむつホルダーなどを含む吸収製品に関する。特に、本発明は、スキンケア組成物を有する吸収製品に関する。
【０００２】
発明の背景
経血、尿および大便のような身体流体の吸収のために構成された吸収製品の全ての様式および種類は、もちろん、周知である。女性用バリアデバイスについては、当該技術は２つの基本的なタイプを提供してきた。生理用ナプキンは外陰部領域の周りの外部着用のために開発されてきたし、一方、タンポンは、膣腔からの経血流の遮断のために膣腔の中の内部着用のために開発されてきた。そのようなタンポンデバイスは、１９８３年１１月１日にワイグナーらに発行された「タンポンアプリケーター」という表題の米国特許第４，４１２，８３３号および１９８３年１１月８日にジャコブズに発行された「無菌挿入のための手段を有するタンポンアセンブリ」という表題の米国特許第４，４１３，９８６号において開示されている。
【０００３】
生理用ナプキンとタンポンの構造的特徴を単独デバイスに結合させることを試みるハイブリッドデバイスもまた提案されてきた。そのようなハイブリッドデバイスは、１９３７年９月７日にアローンに発行された「生理用パッド」という表題の米国特許第２，０９２，３４６号および１９７５年９月１６日にデンキンジャーに発行された「女性用衛生保護シールド」という表題の米国特許第３，９０５，３７２号において開示されている。他のそれほど挿入的でない（ｌｅｓｓ  ｉｎｔｒｕｓｉｖｅ）ハイブリッドデバイスは、陰唇性または陰唇間生理用ナプキンとして知られ、着用者の前庭の中に少なくとも部分的に存在する部分および着用者の前庭の外部に少なくとも部分的に存在する部分を有することを特徴とする。そのようなデバイスは、１９５３年１２月１５日にジャックスに発行された「生理用パッド」という表題の米国特許第２，６６２，５２７号および１９８６年１２月２３日にラッセンらに発行された「陰唇生理用パッド」という表題の米国特許第４，６３１，０６２号において開示されている。陰唇間パッドは、その小さなサイズのために不便からのさらにより大きな解放および漏れの減少を提供する可能性を有する。それらのタイプのそれぞれのデバイスに関連する不利益の少なくとも一部を回避しながらタンポンと生理用ナプキンの最良の特徴を組み合わせるであろう陰唇間パッドを製造するために過去において多数の試みがなされてきた。そのようなデバイスの例は、１９５９年１２月１５日にデラニーに発行された米国特許第２，９１７，０４９号、１９６９年１月７日にハーモンに発行された米国特許第３，４２０，２３５号、１９８６年６月１７日にジョンソンらに発行された米国特許第４，５９５，３９２号、および１９９６年１月１６日にビューコスらに発行された米国特許第５，４８４，４２９号において記載されている。商業的に入手可能な陰唇間デバイスは、オレゴン州ポートランドのアテナ・メディカルＣｏｒｐ．により販売されるＦＲＥＳＨ’ＦＩＴ（登録商標）ＰＡＤＥＴＴＥ陰唇間製品であり、１９７６年１０月５日および１９７９年１１月２７日のそれぞれにハーシュマンに発行された米国特許第３，９８３，８７３号および第４，１７５，５６１号において記載されている。
【０００４】
生理用ナプキン、タンポンおよび陰唇間パッドのようなそれらの製品は、経血を吸収するのには一般的に有効であるけれども、解決される必要がある不快感がいまだ存在する。例えば、着用者は、（１）製品の着用／適用の間の着用者の皮膚に対する製品の擦れと関連する摩擦不快感、（２）着用者の皮膚に対するトップシート上に排出された経血の付着および（３）着用者の皮膚に対するトップシートのような製品の表面の付着による不快感を感じる。製品を適用するときの摩擦は、製品が適切に挿入／適用されることを妨げ、不快感に導く。加えて、着用者の皮膚に対する製品の擦れは、かゆみおよび／または皮膚の刺激を引き起こす。経血の付着は、着用者に不快で汚れた感じを与える。加えて、付着した経血の中に含まれる酵素および／または微生物は着用者の皮膚を攻撃し、それによりかゆみおよび／または皮膚の刺激を引き起こす。トップシートの付着は、着用者に粘着感を与える。それはまた、着用者の皮膚を空気循環から遮蔽し、それにより皮膚の過剰水和を引き起こす。
【０００５】
したがって、吸収製品を着用することにまつわる着用者の不快感を減少させる効果を有する組成物を吸収製品に適用することが望ましい。着用者の不快感を減少させることが知られている１つの組成物は、油系組成物である。油系組成物は、皮膚を軟化させ、滑らかにし、被覆し、保湿し、潤滑化し、または清浄化する効果を有することが知られている。油系組成物はまた、皮膚および／または製品のトップシートに対して汗、便、および／または経血の濡れを減少させる効果を有することも知られている。しかしながら、そのような油系組成物は、吸収製品の表面上に局在したままである傾向にない。代わりに、それは、直接接触によりまたは吸収製品のパッケージもしくはラップ材料を通って、吸収製品の他の部分に移行する傾向がある。もし油系組成物が吸収製品の予期しない部分に移行するならば、油系組成物は、吸収製品の部分の品質を低下させる傾向がある。例えば、もし油系組成物が、油系組成物が適用されることを意図しないトップシートの部分に移行するならば、トップシートを通しての吸収製品の液体吸収性全体が減少しうる。さらに、もし油系組成物が吸収製品を構成するために用いられる接着剤および／または着用者の下着のような他の製品に吸収製品の一部を固定するために用いられる接着剤に向かって移行するならば、接着剤は、油系組成物との接触により劣化し得る。結果として、吸収製品は解体され得るかまたは、吸収製品の接着剤は予期したように機能し得ない。
【０００６】
したがって、吸収製品の着用と関連する着用者の不快感を減少させる効果を有する、組成物の移行を減少させる吸収製品についての要求が存在する。
【０００７】
発明の概要
本発明は、バリアシートを有する吸収製品に関する。吸収製品は、身体表面と着衣表面を有する。吸収製品は吸収性コアを含む。吸収製品の少なくとも一部には、スキンケア組成物が付与されている。吸収製品はバリアシートを有する。バリアシートは、それを通るスキンケア組成物の移行を減少させるように処理されている。
【０００８】
明細書は、本発明を構成するものとみなされる主題を特に指摘し、明確に特許請求する特許請求の範囲を含むけれども、本発明は、添付の図面とともに理解される以下の記載からよりよく理解されるであろうと信じられる。
【０００９】
発明の詳細な説明
全ての引用された参照文献は、その全体において参照により本明細書に組み込まれる。いずれの参照文献の引用も、特許請求された発明に対して先行技術としてその利用性についてのいずれかの決定とみなす容認ではない。
【００１０】
「含む」、「具備する」は、最終結果に影響しない他の工程および他の要素が加えられ得ることを意味する。この用語は、用語「からなる」および「本質的に〜からなる」を包含する。
【００１１】
本明細書で用いられる全てのパーセンテージ、比および割合は、別段の特定のない限り重量による。
【００１２】
Ａ．吸収製品
本明細書で、「吸収製品」とは、身体滲出物を吸収し、含有するデバイスを称し、特に、身体から排出される様々の滲出物を吸収し、含有するために、着用者の皮膚に当接して配置されるデバイスを称する。本明細書で、「使い捨て」とは、１回の使用の後に洗濯されるかまたは吸収製品として修復または再使用されることが意図されない吸収製品を記述するために用いられる。使い捨て吸収製品の例には、生理用ナプキンおよびパンティライナーのような女性用衛生着衣、おむつ、失禁ブリーフ、おむつホルダー、トレーニングパンツなどが含まれる。
【００１３】
使い捨て吸収製品は、典型的には、液体透過性トップシート、トップシートに結合する液体不透過性バックシートおよびトップシートとバックシートとの間に位置する吸収性コアを含む。使い捨て吸収製品およびトップシート、バックシート、吸収性コアおよびそれらの構成部分のいずれか個別の層を含むその構成部分は、身体表面および着衣表面を有する。本明細書では、「身体表面」とは、着用者の身体に向かってまたは隣接して着用されることが意図される製品または構成部分の表面を意味し、一方、「着衣表面」は、その反対側にあり、使い捨て吸収製品が着用されるとき、着用者の身体または下着に向かって着用され、または隣接して配置されることが意図される。
【００１４】
本明細書で用いられる、吸収製品の「身体接触表面」という用語は、着用期間中のどれほどかの時間着用者と接触するいずれかの製品の構成部分の１以上の表面である。身体接触表面には、限定されないが、使用の間着用者に接触するトップシート、フラップ、レッグカフス、腰部領域、サイドパネル、ファスナータブなどの一部が含まれる。
【００１５】
以下の記載は、一般的に、使い捨て吸収製品において有用である吸収性コア、トップシート、およびバックシート材料を検討する。しかしながら、使い捨て吸収製品は、本質的にはそれらのすべてを有する必要はない。この一般的記載は、本明細書で一般的に記載される他の使い捨て吸収製品におけるものに加えて、図１〜３において示され、さらに以下で記載される特定の吸収製品の構成部分に当てはまることが理解されるべきである。
【００１６】
一般的に、吸収性コアは、液体（例えば、経血、尿、および／または他の身体滲出物）を吸収し、または保持することが可能である。吸収性コアは、好ましくは、圧縮性であり、柔順であり、着用者の皮膚に刺激がない。吸収性コアは、広範なサイズおよび形態（例えば、長方形、卵形、砂時計形、「Ｔ」字形、ドッグボーン形、非対称形など）で製造され得る。吸収性コアは、エアフェルトと一般的に称される、細砕された木材パルプのような、吸収製品において通常用いられる広範な液体吸収材料のいずれかを含み得る。吸収性コアにおける使用のための他の適切な吸収性材料の例には、しわのあるセルロースの詰め物、コフォーム（ｃｏｆｏｒｍ）を含む溶融ブロー（ｍｅｌｔｂｌｏｗｎ）ポリマー、化学的に硬化し、修飾または架橋されたセルロース繊維、けん縮したポリエステル繊維のような合成繊維、ピートモス、ティッシュラップおよびティッシュラミネートを含むティッシュ、吸収性発泡体、吸収性スポンジ、超吸収性ポリマー、吸収性ゲル化材料、またはいずれか等価の材料または材料の組み合わせ、またはそれらの混合物が含まれる。
【００１７】
吸収性コアの形状および構造もまた変化し得る（例えば、吸収性コアは、変化する厚さゾーンを有し、および／または中央で厚くなるようなプロフィール、親水性勾配、吸収性複合材料の勾配、超吸収性勾配、または例えば獲得ゾーンのような低平均密度および低平均坪量ゾーンを有し得るものであり、または１以上の層または構造を含み得る）。しかしながら、吸収性コアの全吸収能力は、吸収製品の設計負荷および意図される用途に合致すべきである。さらに、吸収性コアのサイズおよび吸収能力は、おむつ、失禁パッド、パンティライナー、通常の生理用ナプキンおよび夜間の生理用ナプキンのような異なる用途に適合し、小児から成人までの範囲の着用者に適合するように変化し得る。
【００１８】
吸収性コアは、例えばダスチング層、吸上げまたは獲得層、または着用者の快適さを大きくするための２次トップシートのような吸収製品においてしばしば用いられる他の吸収性構成部分を含み得る。
【００１９】
トップシートは、好ましくは、柔順であり、柔軟な感触があり、着用者の皮膚に刺激がない。さらに、トップシートは液体透過性であり、液体（例えば、経血および／または尿）がその厚さを容易に貫通することを可能とする。適切なトップシートは、製織および不織材料（例えば繊維の不織ウエブ）、開孔成形された熱可塑性フィルム、開孔されたプラスチックフィルム、および油圧成形された熱可塑性フィルムのようなポリマー材料、多孔性発泡体、網状発泡体、網状熱可塑性フィルム、および熱可塑性スクリムのような広範な材料から製造されうる。適切な製織および不織材料は、天然繊維（例えば、木材または綿繊維）、合成繊維（例えば、ポリエステル、ポリプロピレン、またはポリエチレン繊維のようなポリマー繊維）または天然繊維と合成繊維の組み合わせから構成されうる。トップシートが不織ウエブを含むとき、そのウエブは、多数の公知技術により製造されうる。例えば、そのウエブは、スパンボンドされ、カーディングされ、ウエットレイされ、溶融ブローされ、水力交絡され、上記の組み合わせなどがされうる。
【００２０】
バックシートは液体（例えば、経血および／または尿）に対して不透過性であり、好ましくは薄いプラスチックフィルムから製造される。しかしながら、他の可撓性液体不透過性材料もまた用いられ得る。本明細書では、「可撓性」とは、柔順であり、人の身体の一般的形態および輪郭に用意に合致するであろう材料を称する。バックシートは、吸収性コアに吸収され、含まれる滲出物がベッドシーツ、パンツ、パジャマおよび下着のような吸収製品に接触する製品を濡らすことを防ぐ。したがって、バックシートは、製織または不織材料、ポリエチレンまたはポリプロピレンの熱可塑性フィルムのようなポリマーフィルム、またはフィルムコート不織材料のような複合材料を含み得る。適切なバックシートは、約０．０１２ｍｍ（０．５ミル）から０．０５１ｍｍ（２．０ミル）の厚さを有するポリエチレンフィルムである。典型的なポリエチレンフィルムは、名称Ｐ１８−１４０１の下でオハイオ州シンシナチのクロペイ・コーポレーションにより、および名称ＸＰ−３９３８５の下でインディアナ州テールホートのトレデガー・フィルム・プロダクツにより製造されている。バックシートはより布らしい外観を提供するようにエンボス加工および／またはつや消し仕上げされうる。さらに、バックシートは、滲出物がバックシートを通過することを防ぎながら、蒸気が吸収性コアから出て行くことを可能としうる（すなわち、バックシートは通気性である）。バックシートのサイズは、吸収性コアのサイズおよび選択された正確な吸収製品の設計により規定される。
【００２１】
バックシートとトップシートは、吸収性コアのそれぞれ着衣表面および身体表面に隣接して位置する。吸収性コアは、好ましくは、当該技術において周知のもののような接着手段により、公知であるいずれかの様式で、トップシート、バックシートまたは両方と結合する。しかしながら、吸収性コア全体の一部がトップシート、バックシートまたは両方のいずれかに付着していない本発明の態様が考えられる。
【００２２】
例えば、トップシートおよび／またはバックシートは、当該技術において公知のいずれか適切な様式で吸収性コアにまたは互いに結合し得る。本明細書で用いられる「結合した」という用語は、ある要素を直接他の要素に固着させることによりある要素が別の要素に直接固定される形状、ある要素を中間部材に固着させ、次いで、他の要素に固着させることによりある要素が間接的に他の要素に固定される形状、およびある要素が別の要素と一体である、すなわち、１つの要素が本質的に他の要素の部分である形状を包含する。バックシートおよび／またはトップシートは、接着剤の均一連続層、接着剤のパターン化された層、または接着剤の分離した線、螺旋、または点の配列により吸収性コアにまたは互いに結合し得る。満足であることが見出されている接着剤は、名称ＨＬ−１２５８またはＨ−２０３１の下でミネソタ州セントポールのＨ．Ｂ．フラー・カンパニーにより製造されている。接着手段は、好ましくは、１９８６年３月４日にミネトラらに発行された米国特許第４，５７３，９８６号において開示される接着剤のフィラメントの開放パターンネットワークを含み、そしてその特許は、参照により本明細書に組み込まれる。フィラメントの開放パターンネットワークの典型的な接着手段は、１９７５年１０月７日にスプラーグ・ジュニアに発行された米国特許第３，９１１，１７３号、１９７８年１１月２２日にザイエカーらに発行された米国特許第４，７８５，９９６号、および１９８９年６月２７日にウェレニッツに発行された米国特許第４，８４２，６６６号において示される装置および方法により例示されるような螺旋パターンに旋回されたいくつかの線の接着剤フィラメントを含む。それらの特許のそれぞれは、参照により本明細書に組み込まれる。代わりに、接着手段には、熱結合、圧力結合、超音波結合、動的機械的結合、またはいずれか他の適切な接着手段、または当該技術において公知であるそれらの接着手段の組み合わせが含まれ得る。
【００２３】
スキンケア組成物は、吸収製品の身体接触表面の少なくとも一部に付与される。スキンケア組成物は、身体接触表面の一部または全体に付与され得る。身体接触表面の全体にスキンケア組成物を付与することが好ましい。さらに、所望であれば、スキンケア組成物は、吸収製品の着衣表面に付与され得る。スキンケア組成物は、複数のストライプ、複数の波線、複数の点などのようないずれか適切な形状で付与され得る。典型的には、スキンケア組成物は油系である。本明細書では、「油系」という用語は、実質的に水が存在しないことを意味する。スキンケア組成物の詳細は、以下に記載される。
【００２４】
バリアシートが吸収製品に備えられる。バリアシートは、バリアシートを通過するスキンケア組成物の移行を減少させるように処理される。好ましくは、バリアシートは、バリアシートを通過するスキンケア組成物の移行を実質的に防ぐ。より好ましくは、バリアシートは、バリアシートを通過するスキンケア組成物の移行を完全に防ぐ。本明細書では、「移行」という用語は、スキンケア組成物が直接接触または介在材料中の貫通のようなやり方である個所から別の個所に動くことを意味する。本明細書で、「実質的に防ぐ」という用語は、バリアシートがバリアシートを通るスキンケア組成物の実質量の移行を防ぐことを意味する。スキンケア組成物に対するバリアシートの防止レベル（すなわち、持続効果）は、加速移行試験により測定され得る。加速移行試験は以下の工程を含む。（１）郵便番号４１７日本国静岡県富士市今井４−１−１の大昭和製紙株式会社により供給される１２０×１２０ｍｍのパウダーペーパー上に１２０×１２０ｍｍの試験材料（すなわち、バリアシート）を置く。（２）１００ｍｍの直径を有する名称ファルコン使い捨てペトリ皿１００５の下でベクトン・ディクソン・アンド・カンパニーにより作られた透明プラスチックペトリ皿上に試験材料を上向きにしてそれら２つのシートを置く。（３）試験材料の中央に１２ｍｍの直径×４ｍｍの厚さにかたどられたスキンケア組成物を載置する。（４）試験材料とパウダーペーパーの間の識別できる空間が存在しなくなるように、シートの４つの末端を引きながらプラスチックペトリ皿のふたを置き、それにより移行試験試料が出来上がる。（５）４０±１℃のインキュベーターの中に移行試験試料を保持する。そして、（６）２時間ごとに１０ｃｍの距離でペトリ皿の底から通常の裸眼でパウダーペーパー上の可視的な油のしみを観察する。もしパウダーペーパー上の可視的な油のしみが観察の時間に観察されるならば、バリアシートを通るスキンケア組成物の移行が起こったこととなり、バリアシートは、最後の観察の時間まではバリアシートを通るスキンケア組成物の移行を防ぐように加速された条件の下で持続効果を有すると評価される。バリアシートは、好ましくは、加速された条件の下で１２時間の持続効果を有し、より好ましくは、加速された条件の下で２４時間の持続効果を有し、最も好ましくは加速された条件の下で４８時間の持続効果を有する。バリアシートの詳細は、以下に記載される。
【００２５】
バリアシートは、スキンケア組成物に暴露されないことが所望される吸収製品の部分を直接または間接に覆うように配置され得る。バリアシートは、吸収製品の部分に向かうバリアシートを通るスキンケア組成物の移行を減少させ、好ましくは実質的に防ぐ。例えば、バリアシートは、吸収製品を構成する吸収製品の要素を結合させる接着剤、着用者の身体または着用者の下着に吸収製品を固定させる接着剤、スキンケア組成物を備えないことを所望される吸収製品のトップシートの一部、またはスキンケア組成物を備えないことが所望される吸収製品のバックシートの一部のような吸収製品の部分を覆い得る。
【００２６】
バリアシートは、スキンケア組成物を備える吸収製品の部分を直接または間接的に覆うように配置され得る。バリアシートは、スキンケア組成物を備える吸収製品の部分から例えば吸収製品の他の部分、他の異なる吸収製品の部分、または他の異なる製品の部分に向かってバリアシートを通るスキンケア組成物の移行を減少させ、好ましくは実質的に防ぐ。例えば、バリアシートは、トップシートのようなスキンケア組成物を備える吸収製品の部分を覆い得るし、吸収製品の全体を覆い、ラップし得る。
【００２７】
バリアシートは、トップシートまたはバックシートのような吸収製品の要素のために用いられ得る。もしバリアシートがトップシートのために用いられるならば、トップシートは、トップシート上に備えられるスキンケア組成物のトップシートを通る吸収性コアへの移行を減少させる働きをする。もしバリアシートがバックシートのために用いられるならば、バックシートは、バックシートを通るスキンケア組成物の移行を減少させる働きをする。
【００２８】
吸収製品の好ましい態様は図１に示されている。図１に示されているものは、１つのタイプの女性用バリアデバイスである生理用ナプキンであり、着用者の外陰部領域の周りの外部着用のために用いられる。図１に示されるように、生理用ナプキン２０は、好ましくは、吸収手段（または「主体部分」）２２および２つの任意のフラップ２４を具備する。生理用ナプキン２０は２つの表面、すなわち身体に面する表面または「身体表面」および着衣表面２０Ｂを有する。生理用ナプキン２０は、その身体表面２０Ａから見られるものとして、図１に示される。身体表面２０Ａは、着用者の身体に隣接して着用されることが意図される。着衣表面２０Ｂは、生理用ナプキン２０が着用されるとき、着用者の下着に隣接して位置することが意図される。図１に示される態様において、「身体接触表面」は身体表面２０Ａを含む。
【００２９】
生理用ナプキン２０は、２つの中心線、すなわち主要縦中心線Ｌおよび主要横中心線Ｔを有する。本明細書で用いられる、「縦」という用語は、生理用ナプキン２０が着用されるとき、起立する着用者を左と右の身体半分に両断する垂直平面と一般的に並ぶ（例えばほぼ平行である）生理用ナプキン２０の平面における線、軸または方向を称する。本明細書で用いられる「横方向」または「横」という用語は、互換的であり、縦方向に一般的に垂直である生理用ナプキン２０の平面内に存在する線、軸または方向を称する。
【００３０】
図１は、生理用ナプキン２０の主体部分２２がフラップ２４のない生理用ナプキンの部分を含むことを示す。主体部分２２は、２つの離間した縦エッジ２６、２つの離間した横すなわちエンドエッジ２８を有し、それらは互いに主体部分の周囲３０を形成する。主体部分２２はまた、２つの末端領域を有し、それらは、第１末端領域３２および第２末端領域３４と称される。中央領域３６は、末端領域３２および３４の間に配置される。末端領域３２および３４は、主体部分の長さの約８分の１から約３分の１の分だけ中央領域３６のエッジから縦方向に外側に延びる。生理用ナプキンの中央領域および２つの末端領域の特徴の詳細な記載は、１９８７年９月１日にヒギンズに発行された米国特許第４，６９０，６８０号に含まれている。
【００３１】
生理用ナプキン２０の主体部分２２は、比較的厚い、中間の厚さ、比較的薄い、またはさらにきわめて薄い（すなわち超極薄）を含むいずれの厚さのものでもあり得る。オズボーンに発行された米国特許第４，９５０，２６４号および第５，００９，６５３号において記載される「超極薄」生理用ナプキン２０は、好ましくは、約３ミリメートル未満の厚さを有する。図面に示される生理用ナプキン２０の態様は、超極薄生理用ナプキンの例であることが意図される。生理用ナプキン２０の主体部分２２はまた、比較的可撓性でありえ、それで着用者にとって快適である。しかしながら、図示される生理用ナプキンは単に１態様であり、本発明はそのタイプ、すなわち図面に示される特定形状を有する吸収製品に限定されないことが理解されるべきである。
【００３２】
図２は、生理用ナプキン２０の主体部分２２の個々の構成部分を示す。生理用ナプキン２０の主体部分２２は、好ましくは、少なくとも３つの基本構成部分を具備する。それらは、液体透過性トップシート３８、液体不透過性バックシート４０、およびトップシート３８とバックシート４０との間に位置する吸収性コア４２を含む。任意に、吸収性コア４２は、獲得部材４４のような他の部材を含み得る。獲得部材４４は、トップシート３８と吸収性コア４２との間に位置する分離部材でありうるかまたは、複合材料トップシートの部分または吸収性コア４２の部分を含み得るかのいずれかでありうる。
【００３３】
生理用ナプキン２０における使用にとって特に適切であるトップシート３８は、開孔された成形フィルムを含む。開孔された成形フィルムはトップシートにとって好ましい。というのはそれは身体滲出物に対して透過性であるからであり、もし適切に開孔されているならば、液体が逆流し、着用者の皮膚を再び濡らすことを許容する傾向を減少させる。したがって、身体と接触する成形されたフィルムの表面は乾いたままであり、それにより、身体の汚れを減少させ、着用者にとってより快適な感触を作り出す。適切な成形されたフィルムは、１９７５年１２月３０日にトンプソンに発行された「先細の毛管を有する吸収構造」という表題の米国特許第３，９２９，１３５号、１９８２年４月１３日にミュレーンらに発行された「汚染耐性トップシートを有する使い捨て吸収製品」という表題の米国特許第４，３２４，２４６号、１９８２年８月３日にレーデルらに発行された「繊維様特性を示す弾力性プラスチックウエブ」という表題の米国特許第４，３４２，３１４号、１９８４年７月３１日にアーらに発行された「つやのない可視的表面および布のような触感を示す巨視的に拡張された３次元プラスチックウエブ」という表題の米国特許第４，４６３，０４５号、１９８８年１０月２５日にパランボに発行された「吸収性衛生生理用製品のための被覆構造およびそのような被覆物を有する吸収製品」という表題の米国特許第４，７８０，３５２号、１９９１年４月９日にベアードに発行された「多層ポリマーフィルム」という表題の米国特許第５，００６，３９４号、および１９９５年５月３１日にウーレットらの名義で出願された「表面エネルギー勾配を示す流体輸送ウエブ」という表題の米国特許出願シリアル番号第０８／４４２，９３５号（１９９６年１月１１日に公開されたＰＣＴ公開ＷＯ／９６／００５４８）において記載されている。
【００３４】
好ましい態様において、トップシート３８は、レーデルらに発行された米国特許第４，３４２，３１４号およびアーらに発行された第４，４６３，０４５号により作られた開孔された成形フィルムを含み、それは、オハイオ州シンシナチのザ・プロクター＆ギャンブル・カンパニーによりＤＲＩ−ＷＥＡＶＥトップシートとして生理用ナプキン上で販売されている。そのような開孔されたフィルムは、好ましくは、インディアナ州テールホートのトレデガー・フィルム・プロダクツから製品番号Ｘ−５６５２として得られる。この好ましい態様において、製造の間に、開孔されたフィルムを成形するために用いられる樹脂は、好ましくは、その中に含まれる界面活性剤を与えられる。
【００３５】
本発明の好ましい態様において、トップシート３８の身体表面は親水性であり、それで、液体は、トップシートをより容易に通過して移送されるであろう。もしトップシートが疎水性材料で作られているならば、トップシートの少なくとも上方表面は、液体がトップシートをより急速に通過して移送されるように親水性となるように処理される。このことは、経血流体が吸収性コアに流れ込み吸収性コアにより吸収されるよりもむしろトップシートを流れ出るようなことを減少させる。トップシート３８の身体表面は、界面活性剤でそれを処理することにより親水性とされ得る。界面活性剤でトップシートを処理する適切な方法は、オズボーンに発行された米国特許第４，９５０，２５４号、１９９１年１月２９日にレイジングらに発行された「多層吸収層を有する吸収製品」という表題の米国特許第４，９８８，３４４号および１９９１年１月２９日にレイジングに発行された「高速獲得吸収性コアを有する吸収製品」という表題の米国特許第４，９８８，３４５号において記載されている。
【００３６】
生理用ナプキン２０における使用にとって特に適切であるバックシート４０には、上記のように約０．０１２ｍｍ（０．５ミル）から約０．０５１ｍｍ（２．０ミル）の厚さを有するポリエチレンフィルムが含まれる。適切なバックシート材料は、オハイオ州シンシナチのクロペイ・コーポレーションから製品番号１８−１４０１として得られる。適切な通気性バックシート材料は、先細の毛管の小さな開口がエクソンの米国特許第４，７７７，０７３号において記載されているもののような微小多孔性フィルムに接着的に積層されている吸収性コア４２に面するように反転されているトンプソンに発行された米国特許第３，９２９，１３５号において記載されているもののような開孔されたフィルムの積層体である。
【００３７】
生理用ナプキン２０における使用にとって特に適切である吸収性コア４２には、多結合エアレイ不織材料が含まれる。この好ましい態様において、この多結合エアレイ不織材料は、約５２％のセルロース繊維、約２０％の二成分（ｂｉ−ｃｏｍｐｏｎｅｎｔ）繊維、約２５％の超吸収性ヒドロゲル形成材料（すなわち吸収性ゲル化材料）、および約３％のラテックスバインダーを含む。吸収性コア４２は、好ましくは、吸収性ゲル化材料の粒子を含んで約１２５ｇ／ｙｄ2 （約１５０ｇ／ｍ2 ）の坪量を有する。好ましくは、この多結合エアレイ不織吸収性コア４２は、セルロースと二成分繊維の３つの流れを堆積させることにより形成され、吸収性ゲル化材料粒子５８は、吸収性コアの底部を形成するように繊維の最後の流れとともに載置される。吸収性コア４２は、図２および３においてラミネートとして示されているけれども、好ましい態様において、繊維は、単独ウエブを形成するように互いに混合される。そのような多結合エアレイ不織材料は、好ましくは、マーフィン・ハイジーニック・プロダクツから製品９１５０００Ｘ３１３としてロール形態で得られる。
【００３８】
別態様において、吸収性コアのために用いられる多結合エアレイ不織材料は、ラテックス以外の（例えば、デンプンまたはＰＶＡのような）いくつかの材料を用いて結合され得る。もう１つの別態様において、吸収性コアは、好ましくは約１５０ｇ／ｍ2 の坪量も有し、間に吸収性ゲル化材料の粒子を有して多結合エアレイ不織材料の２（以上の）層を含むラミネートとして形成され得る。適切なラミネート吸収性コア構造は、オズボーンに発行された米国特許第４，９５０，２６４号および第５，００９，６５３号、エメネーカーらに発行された米国特許第５，４６０，６２３号において一般的に記載されている。もう１つの適切な吸収性コアは、１９９３年９月１６日にハインズらの名義で出願された「上方に凸状にあらかじめ配置されたコアを有する生理用ナプキン」という表題の米国特許出願シリアル番号第０８／１２２，１１４号（１９９５年３月２３日に公開されたＰＣＴ公開番号ＷＯ９５／０７６７４）において記載されている。
【００３９】
より厚い生理用ナプキンの場合には、吸収性コア４２は、好ましくは、エアフェルトで作られる。厚めの生理用ナプキンのために適切な吸収性コアは、スネラーらに発行された米国特許第５，２３４，４２２号において記載されている。好ましい態様において、トップシート３８、獲得部材４４、および吸収性コア４２は、スネラーらの特許において示されるエンボス加工されたチャンネルを備え得る。もしそのようなエンボス加工されたチャンネルが用いられるならば、それらは、好ましくは、結合されていないウインドウ５４の側面を規定する縦に配向した凸状線５６Ａの外側に横に存在する。
【００４０】
吸収性コア４２は、任意に、獲得部材４４を含む。獲得部材４４は、適切ないずれかの材料からも作られ得る。獲得部材４４は例えば、製織または不織材料で構成され得る。繊維またはそれらの材料の他の部材は、合成、または部分的に合成および部分的に天然であり得る。適切な合成繊維には、ポリエステル、ポリプロピレン、ポリエチレン、ナイロン、ビスコースレーヨン、または酢酸セルロース繊維が含まれる。適切な天然繊維には、綿、セルロース、または他の天然繊維が含まれる。獲得部材４４はまた、架橋されたセルロース繊維で少なくとも部分的に構成され得る。もし不織布であれば、獲得部材４４は、多数の異なる方法により作られ得る。それらには、限定されないが、エアレイ、ウエットレイ、溶融ブロー、スパンボンド、カーディング、熱結合、空気流結合（ａｉｒ−ｔｈｒｏｕｇｈ  ｂｏｎｄｅｄ）、粉末結合、ラテックス結合、溶媒結合、スパンレースおよび前述の組み合わせが含まれる。
【００４１】
生理用ナプキン２０における使用にとって特に適切である獲得部材４４は、２枚の不織材料のラミネートを含む。最上層は、好ましくは、ワシントン州ワシューガルのファイバーウエブ，ノースアメリカから得られる製品番号０６５ＭＬＰＶ６０Ｕ（または「Ｐ−９」）と称される１９ｇ／ｙｄ2 （２２．５ｇ／ｍ2 ）スパンボンドポリプロピレン不織材料を含む。下にある層は、好ましくは、粉末結合およびラテックス結合を用いて熱的に結合する多結合エアレイ不織材料を含む。好ましい態様において、この多結合エアレイ不織材料は、約７７％セルロース繊維、約２０％パウダーバインダー、および約３％ラテックスバインダー（ウエブのそれぞれの側に１．５％スプレーされている）を含み、約５０ｇ／ｙｄ2 （約６０ｇ／ｍ2 ）の坪量を有する。そのような多結合エアレイ不織布は、好ましくは、カナダのブリティッシュコロンビア州のデルタのマーフィン・ハイジーニック・プロダクツ，Ｌｔｄ．から製品番号９０８３０Ｘ３１２として得られる。それら２つの不織布層は、好ましくは、スパンボンドポリプロピレン不織材料上に多結合エアレイ不織材料を堆積させることにより互いに積層される。スパンボンド材料は、このラミネートを成形する方法においてプロセス補助材または運搬用ウエブとして用いられる。
【００４２】
別態様において、スパンボンドポリプロピレン不織材料は、より大きいかより小さい坪量を有しうるものであり、またはそれは、エアレイティッシュ、ウエットレイティッシュまたは上記材料のいずれかにより置換され得る。もしウエットレイティッシュがポリプロピレン不織材料の代わりに用いられるならば、ラミネートの配置は、好ましくは、逆転し、そうして最終製品において、多結合エアレイ不織材料はウエットレイティッシュ層の上に存在する。厚めの生理用ナプキンの場合において、上記獲得部材のいずれもが用いられ得る。加えて、１つの好ましい厚めの生理用ナプキン態様において、低密度ラテックス結合エアレイ材料は、獲得部材全体として用いられ得る（すなわち、３番目のトップシートは必要ではない）。この目的のために適切な低密度ラテックス結合エアレイ材料は、製品番号ＦＧ４１３ＭＨＢとして知られる約８０ｇ／ｍ2 の坪量を有する材料であり、それは、ノースカロライナ州マウントホリーのウォーキソフト，ＵＳＡから得られる。
【００４３】
トップシート３８、バックシート４０および吸収性コア４２は、（層状すなわち「サンドイッチ」形状およびラップされたすなわち「チューブ」形状を含む）当該技術において公知の様々の形状で組み合わせられ得る。図１〜３は、サンドイッチ構造に組み合わせられた生理用ナプキン２０の好ましい態様を示す。図１〜３において、トップシート３８およびバックシート４０は、吸収性コア４２の寸法より一般的に大きな長さおよび幅寸法を有する。トップシート３８およびバックシート４０は、周囲３０の部分を形成するように吸収性コア４２のエッジを越えて伸びる。獲得部材４４を有する図２および３において示される態様において、トップシート３８の着衣に面する側は、好ましくは、吸収性コアの身体に面する側（すなわち、獲得部材４４の身体に面する側）に結合する。所望であれば、もし吸収性コア４２が層状構造を有するならば、それぞれの層は互いに結合し得る。所望であれば、獲得部材４４は吸収性コア４２に結合し得る。もしそれらの部材が結合しているならば、それらは、本明細書で上記される様式のいずれかで結合し得る。バックシート４０は、好ましくは、接着剤により吸収性コア４２の着衣に面する側に結合する。
【００４４】
吸収性コア４２のエッジを越えて延びるトップシート３８とバックシート４０の部分は、好ましくはまた、互いに結合する。好ましくは、示される態様において、トップシート３８およびバックシート４０のそれらの部分は、トップシート３８とバックシート４０が圧力または熱と圧力の適用により高密度化される吸収性コア４２のエッジおよび主体部分２２のエンドエッジにおけるクリンプシールを越えて延びる部分の実質的に全体を越えて接着剤を用いて結合される。
【００４５】
上記のように、図１〜３において示される生理用ナプキン２０は、主体部分２２に結合するフラップ２４の任意の対を具備する。フラップ２４は、近位端６０から遠位端（または「遊離末端」６２）まで主体部分２２の縦サイドエッジ２６を越えて横に外側に伸びる。フラップ２４は、主体部分２２の少なくとも中央領域３６から外に延びる。
【００４６】
フラップ２４は、いずれか適切な様式で主体部分２２に結合し得る。好ましくは、図１〜３において示される態様において、フラップ２４は主体部分２２と一体である（すなわち、フラップ２４は、トップシート３８およびバックシート４０の一体的延長を含む）。他の別態様において、フラップ２４は、主体部分２２に結合する分離部材を含み得る。フラップ２４はそれぞれ、継ぎ目に沿って主体部分２２に結合する（または結びつく）。これは、典型的には、継ぎ目６８の線のような縦に配向した（すなわち「縦」）継ぎ目である。本明細書で用いられる「継ぎ目」（または「継ぎ目の線」）という用語は、フラップ２４が主体部分２２から伸び、主体部分に結合する領域を称する。図面において例示される態様における継ぎ目６８の線は、内側に凸に配向した領域または線により規定されるものとみなされ得る。生理用ナプキン２０が着用者により着用されるとき、フラップ２４は着用者の下着の下に折られる。フラップ２４は、典型的には、近位端６０に沿ってまたは隣接して折られる。もし着用者の下着のクロッチの幅が主体部分２２の幅より狭いならば、フラップ２４は、近位端６０の内側の主体部分２２の縦部分に沿って折られ得る。もし着用者の下着のクロッチの幅が主体部分２２の幅より広いならば、フラップ２４は、以下に記載される主体部分２２のヒンジ７０に沿って折られ得る。
【００４７】
生理用ナプキンは、第１のフラップ（フロントフラップ）および第２のフラップ（バックフラップ）を有しうる。第１のフラップは、生理用ナプキンの横中心線から生理用ナプキンの一方のエンドエッジ（フロントエッジ）に向かって偏向している。第１のフラップは、生理用ナプキンの使用の前にトップシート上に折りたたまれている。第２のフラップは、生理用ナプキンの横中心線から生理用ナプキンの他方のエンドエッジ（バックエッジ）に向かって偏向している。第２のフラップは、生理用ナプキンの使用の前にトップシート上に折りたたまれている。生理用ナプキンが用いられるとき、第１のフラップは着用者の下着のクロッチ領域を包むように折りたたまれ、第２のフラップは、着用者の下着の後方領域で広く広げられている。
【００４８】
フラップ２４は、いずれか適切な形状であり得る。適切なフラップは、１９９３年４月２７日に再審査の証書が発行されたバン・ティルバーグに発行された「生理用ナプキン」という表題の再審査特許第Ｂ１  ４，５８９，８７６号、１９８７年８月１８日にバン・ティルバーグに発行された「フラップを有する造形された生理用ナプキン」という表題の米国特許第４，６８７，４７８号、１９９５年２月１４日にラバシュらに発行された「差分伸長性のフラップおよび帯域を有する吸収製品」という表題の米国特許第５，３８９，０９４号、１９９６年９月２４日にワインバーガーらに発行された「伸長性の帯域を有する下着カバー部材を有する吸収製品」という表題の米国特許第５，５５８，６６３号（これは、着用者により適用されるフラップに対する代替物を記載する）、およびラッシュらの名義で１９９６年１０月３日に出願された「段階的形状および伸長性の帯域を有するフラップを有する吸収製品」という表題の国際特許出願シリアル番号ＰＣＴ  ＵＳ９６／１５９５７において記載されている。
【００４９】
図１〜３において示される生理用ナプキン２０は、主体部分２２とフラップ２４の少なくとも一部との間にヒンジ７０を形成する変形領域を有しうる。生理用ナプキン２０は、好ましくは、また、フラップがパンティのクロッチの周りに折りたたまれるときフラップ２４上の応力を緩和させるための少なくとも１つの伸長性の帯域（または「差分伸長性の帯域」）も有する。それらは「変形したヒンジおよび伸長性の帯域を有するフラップを有する吸収製品」という表題の１９９７年４月１０日に公開されたＰＣＴ公開ＷＯ９７／１２５７６において記載され、その出願は参照により本明細書に組み込まれる。
【００５０】
生理用ナプキン２０の着衣表面２０Ｂは、着用者の下着のクロッチ領域に生理用ナプキンを固定するためのファスナーを含み得るし、好ましくは含む。図１および２は、下着のクロッチ領域に生理用ナプキンの主体部分２２を固定するのに適合する中央パッドファスナー８２を示す。中央パッドファスナー８２は、吸収性コアの下の着衣表面２０Ｂ（すなわち、バックシートの着衣に面する側）の少なくとも一部に備えられている。好ましい態様において、中央パッドファスナー８２は、縦中心線Ｌの周りに集中する接着剤の離間して縦に配向したストライプまたは帯域の対を含む。
【００５１】
フラップ２４の着衣表面２０Ｂは、フラップがパンティのクロッチ部分のエッジの周りを包んだ後適所にフラップ２４を維持することを補助するようにファスナーを含み得るし、好ましくは含む。フラップ２４は、下着に、または反対側のフラップにフラップ２４を接着させることにより適所に維持され得る。フラップファスナー８４は、フラップ２４の着衣表面２０Ｂに与えられる。好ましい態様において、フラップファスナー８４は、フラップ２４の着衣表面２０Ｂ上の接着剤の一般的に長方形のパッチを含む。
【００５２】
生理用ナプキンが上記のように第１のフラップおよび第２のフラップを有するとき、第１のフラップは、着用者の下着のクロッチ領域に生理用ナプキンを固定するためのファスナーを有しうるし、第２のフラップは、着用者の下着の後方領域に生理用ナプキンを固定するためのファスナーを有しうる。
【００５３】
接着剤ファスナーおよび機械的ファスナーのような当該技術において公知のいずれのタイプのファスナーも用いられ得る。接着剤を含むファスナーは、この目的のために良好に機能することが見出されており、感圧接着剤が好ましい。接着剤ファスナーは、より好ましくはホットメルト感圧接着剤であり、それは、スチレンゴム系感圧ホットメルト接着剤、スチレンブタジエン系感圧ホットメルト接着剤、およびスチレンイソプレン系感圧ホットメルト接着剤からなる群より選択され得る。しかしながら、ファスナーは、接着剤取着手段に限定されない。例えば、生理用ナプキン２０は、ＶＥＬＣＲＯまたは１９９５年２月２８日にグーレらに発行された「非擦過性の皮膚にやさしい機械的ファスナーシステム」という表題の米国特許第５，３９２，４９８号のような機械的ファスナーにより着用者の下着に固定されるであろう。代わりに、接着剤ファスナーと機械的ファスナーの組み合わせが用いられ得る。接着剤ファスナーは、除去可能なリリースライナー、中央パッドリリースライナーおよびフラップリリースライナーにより覆われ得る。感圧接着剤は、接着剤が使用の前に外表面に粘着することを避けるためにリリースライナーにより覆われるべきである。
【００５４】
スキンケア組成物は、生理用ナプキン２０の身体接触表面の少なくとも一部に付与される。スキンケア組成物は、生理用ナプキン２０の身体接触表面のいずれの部分にも付与され得る。所望であれば、スキンケア組成物は、生理用ナプキン２０の着衣表面の一部に付与され得る。しかしながら、ファスナーの接着剤がスキンケア組成物により分解されないように、スキンケア組成物は、中央パッド接着剤ファスナー８２およびフラップ接着剤ファスナー８４のような接着剤ファスナーに隣接して付与されないことが好ましい。
【００５５】
図１において示される態様において、スキンケア組成物は、好ましくは、主体部分２２のトップシート３８の全体に付与される。またスキンケア組成物は、フラップ２４の一体的トップシート３８の全領域にも付与される。代わりに、スキンケア組成物は、主体部分２２のトップシート３８の一部および／またはフラップ２４の一体的トップシート３８の一部のみに付与され得る。例えば、スキンケア組成物は、生理用ナプキン２０の通常の使用条件で着用者の皮膚に接触すると予想されないフラップ２４の領域には付与されえない（例えば、遠位端６２に隣接するフラップ２４の遠位領域（ｄｉｓｔａｌ  ａｒｅａ）９１（図４を参照））。しかしながら、もしスキンケア組成物が生理用ナプキンの一部に選択的に付与されるならば、スキンケア組成物は、フラップ２４が折りたたまれると考えられるフラップ折りたたみ領域９０に付与されることが好ましい。生理用ナプキン２０のフラップ折りたたみ領域９０に付与されるスキンケア組成物は、着用者の皮膚に対する生理用ナプキン２０のフラップ折りたたみ領域９０のこすれによるかゆみおよび／または擦過のような着用者の不快感を減少させる。もしスキンケア組成物が生理用ナプキンの一部に選択的に付与されるならば、スキンケア組成物は生理用ナプキン２０の縦末端領域９２および９４に付与されることもまた好ましい。生理用ナプキン２０の前方末端領域９２に付与されるスキンケア組成物は、（陰毛の周りの着用者の身体の部分に対応する）生理用ナプキン２０の前方領域においてかゆみを減少させる傾向がある。生理用ナプキン２０の後方末端領域９４に付与されるスキンケア組成物は、（肛門の周りの着用者の身体の部分に対応する）生理用ナプキン２０の後方領域において着用者の皮膚に対する生理用ナプキンの付着を減少させる傾向がある。スキンケア組成物は生理用ナプキン２０の中央領域９６に付与されることもまた好ましい。生理用ナプキン２０の中央領域９６に付与されるスキンケア組成物は、（陰門の周りの着用者の身体の部分に対応する）生理用ナプキン２０の中央領域において着用者の皮膚に生理用ナプキンの付着を減少させる傾向がある。別態様において、もし生理用ナプキン２０が縦サイドエッジ２６に沿ってカフスを有するならば、カフスの表面はスキンケア組成物で処理され得る。
【００５６】
バリアシートは、バリアシートを通るスキンケア組成物の移行を減少させ、好ましくは実質的に防ぐために用いられる。それゆえ、バリアシートは、スキンケア組成物から所望の部分を保護するのに有用である。バリアシートは、生理用ナプキンの一部へのスキンケア組成物の移行を実質的に防ぐために、フラップ接着剤８４、中央パッド接着剤８２、トップシート３８の一部、またはバックシート４０の一部のような生理用ナプキン２０の一部を覆うために用いられ得る。それはまた、吸収性コアの部分へのスキンケア組成物の移行を実質的に防ぐために吸収性コア４２の一部を覆うためにも用いられ得る。バリアシートはまた、吸収性コア４２とトップシート３８とを結合させるための接着剤、吸収性コア４２とバックシート４０とを結合させるための接着剤、トップシート３８とバックシート４０とを結合させるための接着剤のような生理用ナプキン２０の要素を結合させる接着剤を被覆するためにも用いられ得る。バリアシートは、スキンケア組成物がラッパーを通って実質的に滲出して出て行かないように、スキンケア組成物が与えられている生理用ナプキン２０の全体を覆うように主ラッパーシートとして用いられ得る。
【００５７】
図５〜１０は、生理用ナプキン２０に対するバリアシートの適用の態様を示す。その態様において、生理用ナプキン２０は、いくつかの要素を具備するラッパー１００によりラップされる。その要素は、生理用ナプキン２０の全体を覆うための主ラッパーシート１０２、中央パッド接着剤８２を覆い、保護するための主ラッパーシート１０２の一方の側に配置されている中央パッド接着剤カバー１０６、およびフラップ接着剤８４を覆い、保護するためのフラップ接着剤カバー１０４を含み得る。それらの要素は、単一の部材または製品の一体的部分を含み得るかまたは、それらは部材または製品に結合する分離部材を含み得る。それらの要素の少なくとも１つは、バリアシートを含み得る。もしバリアシートがフラップ接着剤８４および／または中央パッド接着剤８２を覆うようにフラップ接着剤カバー１０４および／または中央パッド接着剤カバー１０６として用いられるならば、バリアシートの少なくとも１表面は、好ましくは、剥離し得るように処理される。
【００５８】
主ラッパーシート１０２は、バリアシートを含み得る。バリアシートを含む主ラッパーシート１０２は、主ラッパーシート１０２を通る生理用ナプキン２０上に付与されたスキンケア組成物の移行を減少させ、好ましくは、実質的に防ぐ。主ラッパーシート１０２（すなわち「ラッパーシート」）は、生理用ナプキン２０のための個々のパッケージを提供するために生理用ナプキン２０の周りに折りたたまれるであろうラッパー１００の一部である。図５〜７において示されるように、主ラッパーシート１０２は、内表面１０２Ｆおよび外表面１０２Ｅの２つの表面を有する（外表面１０２Ｅは図５および６において示されていない）。主ラッパーシート１０２はまた、縦エッジ部分１０２Ｄ、第１末端部分１０２Ａおよび第２末端部分１０２Ｂも有する。主ラッパーシート１０２は、好ましくは、生理用ナプキン２０の全体を覆うサイズを有する。
【００５９】
中央パッド接着剤カバー１０６はバリアシートを含み得る。バリアシートを備える中央パッド接着剤カバー１０６は、中央パッド接着剤カバー１０６を通って中央パッド接着剤８２に向かう生理用ナプキン２０上に付与されたスキンケア組成物の移行を減少させ、好ましくは実質的に防ぐ。特に、中央パッド接着剤８２およびフラップ接着剤８４のような接着剤には、スチレンゴム系感圧ホットメルト接着剤、スチレンブタジエンゴム系感圧ホットメルト接着剤およびスチレンイソプレンゴム系感圧ホットメルト接着剤でありうるであろう感圧ホットメルト接着剤が含まれる。そのような接着剤は、油系組成物に対して抵抗しがたいことが知られている。接着剤が油系組成物と接触するとき、接着剤は、ベースのゴム、粘着剤および可塑化剤のような他の成分の均衡した混合が破壊されることにより化学的に劣化し、接着剤の接着性は弱くなる。バリアシートはバリアシートを通って接着剤に向かうスキンケア組成物の移行を減少させ、好ましくは実質的に防ぐので、接着剤はスキンケア組成物から実質的に保護され、接着性を維持する。
【００６０】
図７に示される態様において、中央パッド接着剤カバー１０６は、内表面１０６Ｂとその反対側表面の２つの表面を有する（反対側表面は図７には示されていない）。内表面１０６Ｂは、着用者がラッパー１００から生理用ナプキン２０を動かすとき中央パッド接着剤カバー１０６が中央パッド接着剤８２から取り外されるように剥離可能に処理される。剥離処理としては、内表面１０６Ｂは、非粘着性材料で処理されている内表面１０６Ｂに分離したリリースペーパーまたは要素を付着させることにより、または中央パッド接着剤カバー１０６の一部をシリコーンコーティングすることによるような非粘着性コーティングで中央パッド接着剤カバー１０６の全部または一部を処理することにより提供され得る。中央パッド接着剤カバー１０６の反対表面１０６Ａは主ラッパーシート１０２の内表面に結合している。中央パッド接着剤カバー１０６はまた、縦エッジ部分の対および末端部分の対も有する。中央パッド接着剤カバー１０６は好ましくは、中央パッド接着剤８２を覆うサイズを有する。
【００６１】
中央パッド接着剤カバー１０６は、主ラッパーシート１０２の内表面１０２Ｆ上に直接付与されるリリースコーティングと置換され得る。主ラッパーシート１０２がバリアシートを含むとき、中央パッド接着剤８２は、スキンケア組成物から実質的に保護される主ラッパーシート１０２により覆われる。リリースコーティングはこの目的のための当該技術において公知のいずれの材料も含み得るものであり、シリコーンコーティングが好ましい。もしコーティングが用いられるならば、コーティング１０６は、中央パッド接着剤８２に実質的に接触するであろう主ラッパーシート１０２のその帯域のみをコートすることにより提供され得る。代わりに、主ラッパーシート１０２の内表面１０２Ｆ全体がコートされうる。ラッパーの内部全体のコーティングは、１９９３年１月２６日にクイックらに発行された「粘着性のない内部を有する可撓性容器」という表題の米国特許第５，１８１，６１０号において開示されている。
【００６２】
フラップ接着剤カバー１０４はバリアシートを含み得る。バリアシートを含むフラップ接着剤カバー１０４は、フラップ接着剤カバー１０４を通ってフラップ接着剤８４に向かう生理用ナプキン２０上に付与されたスキンケア組成物の移行を減少させ、好ましくは実質的に防ぐ。図５および６において示される態様において、フラップ接着剤カバー１０４は２つの面を有し、その１つは非接着性の面（すなわち剥離性の面）１０４Ａであり、それは、フラップ接着剤８４について剥離可能に接着が可能であり、もう１つは反対側の面または側面１０４Ｂである。好ましくは、図７において示されるように、フラップ接着剤カバー１０４の非接着面１０４Ａは、生理用ナプキン２０およびラッパー１００が以下で検討される折たたまれた形状で存在するときフラップ接着剤８４に剥離可能に付着することが可能であるように主ラッパーシート１０２に面していない。非粘着面１０４Ａは、着用者がラッパー１００から生理用ナプキン２０を動かすとき、フラップ接着剤カバー１０６がフラップ接着剤８４からはがれるように、剥離可能に処理される。剥離処理のためには、非粘着面１０４Ａは、中央パッド接着剤カバー１０６と同じ方式で処理され得る。
【００６３】
図５〜７において示される態様において、フラップ接着剤カバー１０４はまた縦エッジ部分の対、第１の末端部分（固定末端）１０４Ｃ、および第２の末端部分（遠位端）１０４Ｄも有する。フラップ接着剤カバー１０４の第１末端部分１０４Ｃは、好ましくは、接着剤１０３により主ラッパーシート１０２の第１末端部分１０２Ａに隣接して結合する。フラップ接着剤カバー１０４の第２末端部分１０４Ｄは、主ラッパーシート１０２の中央部分１０２Ｃに向かって、および生理用ナプキン２０の中央部分３６に向かって延びる（同様に図１を参照されたい）。代わりに、フラップ接着剤カバー１０４は、主ラッパーシート１０２の一部に結合し得ない。ラッパー１００が図５において示される平坦形状で存在するとき、フラップ接着剤カバー１０４は、生理用ナプキン２０の第１末端領域３２上に存在する。フラップ接着剤カバー１０４は、いずれか適切なサイズおよび形態のものであり得る。しかしながら、図面は、フラップ接着剤８４を覆い、保護するのに十分な幅（横中心線Ｔに平行に測定された寸法）のもののみであるフラップ接着剤カバー１０４を描写する。主ラッパーシート１０２の幅に等しい幅またはその間のいずれかの幅のものであるフラップ接着剤カバー１０４もまた本明細書では考えられている。
【００６４】
上記態様において、ラッパー１００のそれぞれの要素（すなわち、主ラッパーシート１０２、中央パッド接着剤カバー１０６、フラップ接着剤カバー１０４）はバリアシートを含み得る。代わりに、選択された要素のみがバリアシートを含み得る。好ましくは、少なくともフラップ接着剤カバー１０４がバリアシートを含む。
【００６５】
ラッパー１００は、好ましくは、また、その折りたたまれた形状においてラッパーおよび生理用ナプキンを折ることにより形成されるパッケージを保持するための任意のパッケージファスナー１０８をも含む。パッケージファスナー１０８は、好ましくは、パッケージに剥離可能に付着性であるとともに剥離性でもある。パッケージファスナー１０８は、接着剤のスポットまたはパッチ、テープ、および機械的ファスナーのような当該技術において公知のいずれかの剥離可能に付着性であり、剥離性のファスナーで構成され得る。感圧接着剤がその上に設けられたテープタブは、良好に機能することが見出されている。パッケージファスナー１０８は、ラッパー１００上のいずれか適切な位置に配置され得る。図５および６に示される態様において、パッケージファスナー１０８は、好ましくは、主ラッパーシート１０２の反対側の第２の末端部分１０２Ｂに位置する。
【００６６】
生理用ナプキン２０をラッパー１００に最初にパッケージするために、主体部分２２の着衣表面２０Ｂは、主ラッパーシート１０２の頂部上に配置される。生理用ナプキン２０は、中央パッド接着剤８２が主ラッパーシート１０２上の中央パッド接着剤カバー１０６上に存在するように配置される。次いで、フラップ２４は好ましくはトップシート３８上に折りたたまれる。トップシート３８上にフラップ２４を折りたたむことは、フラップ２４の着衣表面上に配置された接着剤８４のパッチを露出し、フラップ２４がトップシート３８の少なくとも一部を覆うようにさせる。トップシート３８上にフラップ２４を折りたたんだ後、生理用ナプキン２０および主ラッパーシート１０２は、次いで、好ましくは、図６において示される折たたみ軸Ｆ１およびＦ２により規定される３つの区分に折りたたまれる。図６において示されるように、生理用ナプキン２０の第１と第２の末端領域３２および３４は、折りたたみ軸Ｆ１およびＦ２の縦に外側に存在する。生理用ナプキン２０の中央領域３６は、好ましい折りたたみ軸Ｆ１およびＦ２の間に存在する。
【００６７】
図９は、輸送、販売、および着用者による簡便な持ち運びのための１つの好ましい形状にラッパー１００および生理用ナプキン２０を折りたたむことにより形成される生理用ナプキンのためのパッケージを描写する。図９に示されるように（同様に図６を参照して）、生理用ナプキン２０の第１の末端領域３２とともに主ラッパーシート１０２の第１の末端部分１０２Ａおよびフラップ接着剤カバー１０４は、生理用ナプキン２０の中央領域３６上に第１の折りたたみ軸Ｆ１の周りに折りたたまれる。生理用ナプキン２０およびラッパー１００はこの方式で折りたたまれるとき、フラップ接着剤カバー１０４の非接着面１０４Ａはフラップファスナー８４上に配置され、それぞれの接着剤パッチ８４に剥離可能に付着する。加えて、フラップ接着剤カバー１０４はフラップ２４として広がるそれぞれのフラップ２４の間の接続を提供し、それによりフラップ接着剤カバー１０４が除去されるまで所望の位置にフラップ２４を維持する。生理用ナプキン２０の第２末端領域３４とともに主ラッパーシート１０２の第２末端部分１０２Ｂおよびテープタブ１０８は次いで、第２の折りたたみ軸Ｆ２の周りに折りたたまれる。このことは、主ラッパーシート１０２の第１末端部分１０２Ａおよび生理用ナプキン２０の第１末端領域３２の頂部上にそれらの部材を配置する。図９において描写される位置におけるラッパー１００の外部にテープタブ１０８を加圧することにより、生理用ナプキン２０、そのフラップ２４およびラッパー１００は示される形状にとどまる。
【００６８】
図９に示される態様においては、スキンケア組成物層１５０は、トップシート３８の全表面上に付与される。フラップ接着剤８４は、バリアシートを含むフラップ接着剤カバー１０４により覆われる。図９に示される生理用ナプキン２０の折りたたまれた形状において、フラップ接着剤カバー１０４はスキンケア組成物層１５０に面し、スキンケア組成物からフラップ接着剤８４および接着剤１０３を実質的に保護する。主ラッパーシート１０２は、バリアシートを含み得る。主ラッパーシート１０２は、スキンケア組成物から接着剤１０３を実質的に保護する。主ラッパーシート１０２はまた、スキンケア組成物からバックシート４０の一部も実質的に保護する。主ラッパーシート１０２は、スキンケア組成物から中央パッド接着剤８２も保護する。主ラッパーシート１０２はまた、主ラッパーシート１０２を通って出て行くスキンケア組成物の移行も実質的に防ぐ。さらに、もし中央パッド接着剤カバーが与えられているならば、中央パッド接着剤カバーはバリアシートを含み得る。中央パッド接着剤カバーは実質的に、スキンケア組成物から中央パッド接着剤８２を保護する。
【００６９】
好ましくは、本発明のラッパー１００における生理用ナプキン２０の個別のパッケージ化を完了させるために、主ラッパーシート１０２のそれぞれの縦サイドエッジ１０２Ｄは次いで、生理用ナプキン２０とラッパー１００が図１０において示される折たたまれた形状にされた後、弱く（ｆｒａｎｇｉｂｌｙ）封をされる。主ラッパーシート１０２のサイドエッジ１０２Ｄの弱い密封は、いずれか適切な密封技術により達成され得る。単に例としてであるが、縦サイドエッジ１０２Ｄは、熱密封、のり付け、または超音波結合されうる。それにより生理用ナプキン２０全体は、ラッパー１００が開かれるまで保護される。縦サイドエッジを弱く封をするための適切な方法は、スワンソンに発行された米国特許第４，５５６，１４６号において記載されている。
【００７０】
消費者は通常、図１０において描写された形態の本発明の個別にパッケージされた生理用ナプキンを持ち歩くであろう。図１０において描写された本発明の個別にパッケージされた生理用ナプキンは、ラッパー１００からテープタブ１０８を引き剥がし、メインラッパーシート１０２の縦サイドエッジ１０２Ｄに沿って弱い密封を破壊することにより開放され得る。消費者は、１回の動きで、中央パッド接着剤８２およびフラップ接着剤８４を含む生理用ナプキン２０からラッパー１００全体（すなわち、主ラッパーシート１０２、フラップ接着剤カバー１０４、およびもし備え付けられていれば中央パッド接着剤カバー１０６）を引き剥がし得る。もしラッパー１００のそれぞれの要素が接続されていなければ、消費者はそれぞれの要素を別々に引き剥がす。
【００７１】
本発明の様々の別態様が可能である。例えば、フラップ接着剤カバーは、主ラッパーシートの別部材である代わりに、主ラッパーシートの一体部分であり得る。さらに、フラップ接着剤カバーは、生理用ナプキンの第１末端領域の部分を越えて延びるだけの代わりに、生理用ナプキンの中央領域上に存在するようにメインラッパーシートの縦末端の１つから延びて、ラッパーと生理用ナプキンが折りたたまれていない状態にあるときフラップ接着剤を覆うように、より長く作られ得る。この態様において、フラップ接着剤カバーの非粘着側は、主ラッパーシートに向かい内向きに面する。それらのおよび他の別態様は、「サイドフラップファスナーカバーを備える吸収製品ラッパー」という表題の１９９７年５月１日に公開されたＰＣＴ公開ＷＯ９７／１５２６１において記載されており、それは参照により本明細書に組み込まれる。
【００７２】
生理用ナプキンは、第１のフラップおよび第２のフラップを有しうる。第１のフラップは、着用者の下着のクロッチ領域に生理用ナプキンを固定するためのファスナー（例えば接着剤）を有する。第２のフラップは、着用者の下着の後方領域に生理用ナプキンを固定するためのファスナー（例えば接着剤）を有する。第１のフラップのファスナーカバーおよび第２のフラップのファスナーカバーは、フラップのファスナーを被覆するために備えられ得る。第１のフラップのファスナーカバーおよび第２のフラップのファスナーカバーは、一体的材料により形成され得る。代わりに、第１のフラップのファスナーカバーおよび第２のフラップのファスナーカバーは別材料であり得る。第１のフラップのファスナーカバーおよび第２のフラップのファスナーカバーが別材料を構成するならば、両方のフラップファスナーカバーが１回の動きで取り外されるようにそれらカバーは好ましくは生理用ナプキンのラップされた形状で結合される。より好ましくは、第１のフラップのファスナーカバーおよび第２のフラップのファスナーカバーは、両方のフラップファスナーカバーおよび主ラッパーシートが１回の動きで取り外されるように生理用ナプキンの主ラッパーシートに直接または間接に結合する。第１のフラップおよび第２のフラップを有するそれらのおよび他の形態は、例えば、「サイドフラップファスナーカバーを備える吸収製品ラッパー」という表題の１９９８年１０月１日に公開されたＷＯ９８／４２２８５、「サイドフラップファスナーカバーを備える吸収製品ラッパー」という表題の１９９８年１２月３日に公開されたＷＯ９８／５３７８１、および「サイドフラップファスナーカバーを備える吸収製品ラッパー」という表題の１９９９年５月２７日に公開されたＷＯ９９／２５２８５において開示されており、それらは参照により本明細書に組み込まれている。生理用ナプキンが第１のフラップのファスナーカバーおよび第２のフラップのファスナーカバーを有するとき、両方のカバーはバリアシートを含み得る。
【００７３】
図１１は、生理用ナプキン２２０に対するバリアシートの適用の別態様を示す。図１１において示される態様において、生理用ナプキン２２０は、トップシート２３８が上方に面し、バックシート２４０が主ラッパーシート３０２に面するように主ラッパーシート３０２上に配置される。スキンケア組成物は、生理用ナプキン２２０の第１の末端領域２３２の一部および生理用ナプキン２２０の第２の末端領域２３４の一部に付与される。代わりに、スキンケア組成物は、生理用ナプキン２２０のいずれかの部分に与えられ得る。トップシートカバー３０１は、スキンケア組成物層３５０を覆うように与えられる。トップシートカバー３０１はバリアシートを含む。トップシートカバー３０１がバリアシートを含み、スキンケア組成物層３５０を覆うとき、トップシートカバー３０１は、トップシートから、トップシートカバーが設けられる場合にトップシートと接触するにいたるであろう主ラッパーシートの一部のような吸収製品の他の部分へのスキンケア組成物の移行を減少させ、好ましくは実質的に防ぐ。
【００７４】
トップシートカバー３０１は、１対の縦エッジ部分、第１の末端部分３０１Ｃおよび第２の末端部分３０１Ｄを有する。トップシートカバー３０１の第１の末端部分３０１Ｄは、たとえば接着剤３０３により主ラッパーシート３０２の第１の末端部分３０２Ａに結合し得る。代わりに、トップシートカバー３０１は、主ラッパーシート３０２への接着から解放されていてもよい。トップシートカバー３０１がトップシート２３８に付与されるスキンケア組成物層を覆い得る限り、トップシートカバー３０１はいずれのサイズをも有し得る。例えば、スキンケア組成物がトップシート２３８の全体に付与されるとき、トップシートカバー３０１はトップシート２３８のサイズより大きいサイズを有し得る。
【００７５】
生理用ナプキン２０の多数の他の態様が可能である。例えば、生理用ナプキンの主体部分は、向上した一体性と獲得のために本明細書で記載されたように結合した構成部材を有する複合（ｃｏｍｐｏｕｎｄ）生理用ナプキンの形態で提供され得る。複合生理用ナプキンの一般的記載は、１９８４年１月１０日にデズマレーズらに発行された「複合生理用ナプキン」という表題のＰ＆Ｇの米国特許第４，４２５，１３０号および１９９６年１１月５日にメイヤーらの名義で公開された「身体に適合する複合生理用ナプキン」という表題の法定発明登録Ｈ１６１４において見出される。複合生理用ナプキンを形成するために、本明細書で記載されるもののような生理用ナプキンはパンティプロテクター（または「ベースパッド」）として機能し得るものであり、トップシートにより包まれる吸収材料の管（すなわち「一次経血パッド」）は生理用ナプキンの頂部上に配置され、末端でナプキンに付着し得る。ベースパッド上の溶融結合は、好ましくは、本明細書の図面上に示されるのと同じ様式で分布している。生理用ナプキンへの管の付着は、好ましくは、ベースパッドへの管の末端におけるトップシート材料の延在部分の溶融結合により達成される。そのような複合生理用ナプキンの一部の好ましい態様において、吸収材料の管の末端とベースパッドとの間の接着もまた存在し得る。複合生理用ナプキンの管は、接着剤によるようないずれか適切な接着手段によりその両末端の間でベースパッドに接着され得る。
【００７６】
スキンケア組成物は、他のタイプの吸収製品の身体接触表面に付与され得る。身体接触表面を有するそのような吸収製品には、限定されないが、タンポン、陰唇間吸収製品、パンティライナー、失禁製品、幼児用おむつを含むおむつ、トレーニングパンツ、成人用失禁おむつなどが含まれる。バリアシートは、バリアシートを通るスキンケア組成物の移行を減少させ、好ましくは実質的に防ぐスキンケア組成物を有するそのような吸収製品により備えられ得る。
【００７７】
本明細書で「タンポン」とは、体腔などからの流体の吸収のために膣管または他の体腔に挿入されるいずれかのタイプの吸収構造を称する。基本的なタンポンの構造は、１９３３年９月１２日にハースに発行された米国特許第１，９２６，９００号、１９３４年７月３日にハースに発行された米国特許第１，９４６，９１１号、および１９６７年５月３０日にギズウォルドらに発行された米国特許第３，３２２，１２３号において記載されている。
【００７８】
本明細書で、「陰唇間吸収製品」とは、生理用品目的、失禁バリアまたは両方のために女性着用者の陰唇間空間に挿入可能である吸収性デバイスを称する。適切な陰唇間吸収製品は、例えば、１９９８年６月９日にオズボーンらに発行された「トイレで使い捨て可能な吸収性陰唇間デバイス」という表題の米国特許第５，７６２，６４４号、１９９８年７月９日にオズボーンらの名義で公開された「薄くて快適な陰唇間吸収構造」という表題のＰＣＴ公開番号ＷＯ９８／２９０７８、１９９９年１月２６日にメイヤーに発行された「陰唇間吸収性デバイス」という表題の米国特許Ｄｅｓ．４０４，８１４号、ブラウンらの名義で１９９８年５月１日に出願された米国出願シリアル番号第０９／０７１，４２５号において開示されている。
【００７９】
「パンティライナー」という用語は、月経期間の間に女性により一般的に着用される生理用ナプキンよりかさ高でない吸収製品を称する。適切な吸収製品は、例えば、１９８８年４月１９日にオズボーンに発行された「パンティライナー」という表題の米国特許第４，７３８，６７６号において開示されている。
【００８０】
本明細書で、「失禁製品」とは、それが成人または他の失禁者により着用されるかどうかにかかわらず、パッド、下着（ベルトなどのような同じタイプの懸垂系により適所に保持されるパッド）、吸収製品のための挿入物、吸収製品のための容量ブースター、ブリーフ、ベッドパッドなどを称する。適切な失禁製品は、例えば、１９８１年３月３日にストリックランドらに発行された米国特許第４，２５３，４６１号、ビュエルに発行された米国特許第４，５９７，７６０号および第４，５９７，７６１号、上記米国特許第４，７０４，１１５号、アーらに発行された米国特許第４，９０９，８０２号、１９９０年１０月２３日にジプソンらに発行された米国特許第４，９６４，８６０号、および１９９１年１月３日にノエルらにより出願された米国特許出願シリアル番号第０７／６３７，０９０号（１９９２年７月２３日に公開されたＰＣＴ公開ＷＯ９２／１１８３０）において開示されている。
【００８１】
本明細書で、「おむつ」とは、着用者の下腹部の周りに着用される幼児および失禁者により一般的に着用される吸収製品を称する。適切なおむつは、例えば、１９７５年１月１４日にビュエルに発行された米国特許第３，８６０，００３号、１９９２年９月２９日にビュエルらに発行された米国特許第５，１５１，０９２号、１９９３年６月２２日にビュエルらに発行された米国特許第５，２２１，２７４号および１９９６年９月１０日にローらに発行された米国特許第５，５５４，１４５号において開示されている。
【００８２】
本明細書で、「トレーニングパンツ」とは、固定された側面および脚部の開口を有する使い捨て着衣を称する。トレーニングパンツは、着用者の脚部を脚部の開口に挿入し、トレーニングパンツを着用者の下腹部の回りの位置にすべり挙げることにより着用者に適所に配置される。適切なトレーニングパンツは、例えば、１９９３年９月２１日にハッセらに発行された米国特許第５，２４６，４３３号において開示される。
【００８３】
スキンケア組成物は、吸収製品の身体に接触する表面の部分または全体に付与され得る。例えば、スキンケア組成物は、吸収製品のトップシートの部分または全体に付与され得る。もし吸収製品がカフスのような着用者の皮膚と接触する他の部分を有するならば、スキンケア組成物は、それらの部分の一部または全体に付与され得る。本明細書で「カフス」とは、バリアカフス、ガスケットカフス、それらの組み合わせおよび変形を含む脚部カフス、横方向バリアおよびポケット／スペーサー、サイドパネル、ならびにウエストフラップ、ウエストバンド、ウエストキャップおよび一体的ウエストキャップ／ウエストバンドを含むウエストカフスおよびそれらのカフスの全部または一部の組み合わせを含む。
【００８４】
スキンケア組成物で処理された代表的なトップシートは、例えば、１９９７年７月１日にロー、ベークス＆ワーナーに発行された「ローションを付されたトップシートを有するおむつ」という米国特許第５，６４３，５８８号、および１９９７年６月３日にロー＆マッキーに発行された「ポリシロキサンエモリエント剤を含むローションを付されたトップシートを有するおむつ」という米国特許第５，６３５，１９１号、１９９７年３月１１日にローに発行された「液体ポリオールポリエステルエモリエント剤および固定化剤を含むローションを付されたトップシートを有するおむつ」という米国特許第５，６０９，５８７号、および１９９７年３月４日にローに発行された「エモリエント剤およびポリオールポリエステル固定化剤を含むローションを付されたトップシートを有する使い捨て吸収製品」という米国特許第５，６０７，７６０号において記載され、それらのそれぞれは参照により本明細書に組み込まれる。そのような処理されたトップシートを有する吸収製品の反復する使用によりスキンケア組成物を投与する方法は、１９９７年９月１０日に出願されたエルダーらの「皮膚の健康を維持し、または向上させるための方法」という米国特許出願シリアル番号第０８／９２６，５３２号、１９９７年９月１０日に出願されたバン・リジズウィジクの「皮膚の状態を改善するための方法」という米国特許出願シリアル番号第０８／９２６，５３３号、および１９９７年８月８日に出願されたローらの「ローションを付されたトップシートを有するおむつ」という米国特許出願シリアル番号第０８／９０８，８５２号において開示され、それらのそれぞれは参照により本明細書に組み込まれる。スキンケア組成物で処理された代表的なカフスは、例えば、１９９６年１２月３日に出願されたシュルテらの「ローションを付された脚部カフスを有する吸収製品」という米国特許出願シリアル番号第０８／７６６，３８６号、１９９７年４月２４日に出願されたシュルテらの「ポリシロキサンエモリエント剤を含むローションを付された脚部カフスを有する吸収製品」という米国特許出願シリアル番号０８／８４０，０３９号、１９９７年１０月３１日に出願されたシュルテらの「カフスおよびトップシートに配置されたスキンケア組成物を有するカフスおよびトップシートを有する吸収製品」という米国特許出願シリアル番号第０８／９６２，３１０号、１９９７年１０月３１日に出願されたバンリらの「カフスおよびトップシートに配置されたスキンケア組成物を有するカフスおよびトップシートを有する吸収製品」という米国特許出願シリアル番号第０８／９６２，３１２号において記載されており、それらのそれぞれは参照により本明細書に組み込まれる。スキンケア組成物で処理された代表的な陰唇間吸収製品は、例えば、１９９７年６月５日に出願されたオズボーンらの「エモリエント剤で処理された吸収性陰唇間デバイス」という米国特許出願シリアル番号第０８／８６９，８９７号、１９９７年６月５日に出願されたオズボーンらの「ポリシロキサンエモリエント剤で処理された吸収性陰唇間デバイス」という米国特許出願シリアル番号第０８／８６９，７００号において開示され、それらのそれぞれは、参照により本明細書に組み込まれる。スキンケア組成物で処理された呼吸性を有する代表的な吸収製品は、例えば、１９９７年１０月９日に出願されたエルダーらの「皮膚の状態に利益を提供する使い捨て吸収製品」という米国特許出願シリアル番号第０８／９２６，５６６号において開示されている。
【００８５】
Ｂ．スキンケア組成物
スキンケア組成物は、好ましくは、皮膚効果（ｓｋｉｎ  ｅｆｆｅｃｔ）をもたらす。スキンケア組成物は、皮膚の過剰水和および身体滲出物中に含まれる物体への皮膚の暴露を回避する保護的で非閉塞的機能（例えば、比較的液体不透過性であるが蒸気透過性のバリア）、吸収製品の身体接触表面が着用者の皮膚に接触する領域における皮膚の刺激を減少させる擦過最小化機能を提供するべきか、またはスキンケアの利益を直接或いは間接的にもたらす薬剤を含むべきであることが好ましい。例えば、間接的な利益には、経血、便または尿のような皮膚の刺激物の除去の改善が含まれる。組成物は、限定されないが、エマルジョン、ローション、クリーム、軟膏、膏薬、粉末、懸濁液、カプセル製剤、ゲルなどを含む様々の形態で存在し得る。
【００８６】
スキンケア組成物は２０℃で固形または半固形でありえ、４０℃で固形または半固形である。本明細書で、「半固形」とは、スキンケア組成物が粘弾性特性を有することを意味する。（すなわち、剪断応力が掛けられていないとき、スキンケア組成物は固体の外観を有する。しかしながら剪断応力が増加すると、スキンケア組成物は流体として流動するようにさせられうる。）この特性は、静的条件の下で（例えば、製品が貯蔵および／または輸送されている条件の下で）スキンケア組成物の安定性を確保し、機械的剪断の下で（例えば、製品が着用者により着用され、剪断応力がスキンケア組成物に掛けられる条件の下で）皮膚効果のために皮膚に移行するスキンケア組成物の有用性を最大化する。
【００８７】
スキンケア組成物は、４０℃で約３×１０4 ダイン／ｃｍ2 未満の剪断応力の下で約１０5 ポイズを超える粘度を有し、約１０6 ダイン／ｃｍ2 を超える剪断応力の下で約１０2 ポイズ未満の粘度を有しうる。好ましくは、スキンケア組成物は、４０℃で約３×１０4 ダイン／ｃｍ2 未満の剪断応力の下で約１０6 ポイズを超える粘度を有し、約１０6 ダイン／ｃｍ2 を超える剪断応力の下で約１０1 ポイズ未満の粘度を有しうる。ここでは、４０℃は、製品が貯蔵されているか輸送されているか皮膚と接触して着用されている間にスキンケア組成物が潜在的に被る温度を表す。約３×１０4 ダイン／ｃｍ2 の剪断応力は、製品が貯蔵されているかまたは輸送されている間にスキンケア組成物に掛けられる最大剪断応力を表す。約１０6 ダイン／ｃｍ2 の剪断応力は、製品が着用されている間に少なくとも１回スキンケア組成物に掛けられる剪断応力をあらわす。約１０5 ポイズの粘度は、貯蔵または移動においてスキンケア組成物が移行を起こすことを防ぐために必要とされる最低粘度である。約１０6 ポイズを超える粘度は、スキンケア組成物が移行を起こさないためにはより好ましい。約１０2 ポイズの粘度は、着用者の皮膚と製品の身体接触表面との間の有効な潤滑性および着用者の皮膚へのスキンケア組成物の移行を得るために要求される最大粘度である。約１０1 ポイズ未満の粘度は、有効な潤滑性およびスキンケア組成物の移行のためにはより好ましい。様々の剪断応力における粘度は、４０℃で、コーン・トゥ・プレート（ｃｏｎｅ  ｔｏｐｌａｔｅ）またはプレート・トゥ・プレート（ｐｌａｔｅ  ｔｏ  ｐｌａｔｅ）タイプのレオメーター（例えば、レオメーターＳＲ−２０００、レオメトリックス社）のような入手可能なレオメーターにより測定されるべきである。
【００８８】
図１２は、好ましいスキンケア組成物の１例の剪断応力対粘度のグラフを示す。スキンケア組成物が４０℃で約３×１０4 ダイン／ｃｍ2 未満の剪断応力の下で約１０5 ポイズを超える粘度を有するとき、スキンケア組成物は、貯蔵または輸送において製品の内部に移行を起こす傾向が少なく、製品の身体に接触する表面上にとどまる傾向が大きい。スキンケア組成物が４０℃で約１０6 ダイン／ｃｍ2 を超える剪断応力の下で約１０2 ポイズ未満の粘度を有するとき、スキンケア組成物は着用者の皮膚に移行する傾向をより強く有する。したがって、スキンケア組成物は貯蔵または輸送の際に製品の身体接触表面上に安定にとどまる傾向があり、それにより、身体接触表面上に配置されるスキンケア組成物の初期量の必要はより小さくなる。一旦吸収製品が着用者により着用されると、スキンケア組成物は、貯蔵または輸送の際の剪断応力より大きな剪断応力にさらされる。それによりスキンケア組成物は流動し始め、有効量のスキンケア組成物が着用者の皮膚に移行する。本明細書において、「有効量のスキンケア組成物」という用語は、身体接触表面に付与または移行する（配置される）とき上記所望の皮膚効果を与えることにおいて有効である特定組成物の量を称する。
【００８９】
スキンケア組成物はまた、４０℃で約３００以下、好ましくは約１５０以下、より好ましくは約１００以下のコンシステンシーを有しうる。本明細書で、「コンシステンシー」とは、スキンケア組成物の変形に対する抵抗を意味する。スキンケア組成物が４０℃で約３００以下のコンシステンシーを有するとき、スキンケア組成物は、吸収製品の身体接触表面上にとどまる傾向がより大きい。コンシステンシーは、４０℃でＡＳＴＭ  Ｄ５において記載されるペネトロメーターにより測定され得る。コンシステンシーを測定するために用いられるペネトロメーターは、ＰＮＲ−１０の名称の下でニューヨーク州ランタムのアルバニー−シェーカーロード８７４のペトロラブ・カンパニーにより供給される。
【００９０】
身体接触表面上に配置される組成物の有効量は、大きくは、用いられる特定のスキンケア組成物、スキンケア組成物が付与される身体接触表面の部分、および／または製品形態（例えば、おむつ、生理用ナプキンなど）に依存するであろう。にもかかわらず、吸収製品の身体接触表面の少なくとも一部に配置されるスキンケア組成物の最少量は、好ましくは約０．０５ｍｇ／ｉｎ2 （０．００７８ｍｇ／ｃｍ2 ）以上、より好ましくは約０．１ｍｇ／ｉｎ2 （０．０１６ｍｇ／ｃｍ2 ）以上、さらにより好ましくは約０．５ｍｇ／ｉｎ2 （０．０７８ｍｇ／ｃｍ2 ）以上であろう。身体接触表面の少なくとも一部に配置されるスキンケア組成物の最大量は、好ましくは約８０ｍｇ／ｉｎ2 （１２ｍｇ／ｃｍ2 ）以下、より好ましくは約２５ｍｇ／ｉｎ2 （３．９ｍｇ／ｃｍ2 ）以下、さらにより好ましくは約５ｍｇ／ｉｎ2 （０．８ｍｇ／ｃｍ2 ）以下であろう。それらの範囲は単なる例示であり、当業者は、組成物の性質が所望の皮膚効果を達成するために配置されねばならないレベルを規定し、そのようなレベルは、本発明の開示にかんがみて日常的な実験により確認可能であることを認識するであろう。特に、例１において記載されているもののようなスキンケア組成物が、図１において示される生理用ナプキンの身体接触表面（すなわち、主体部分２２およびフラップ２４のトップシート３８）に付与されるとき、身体接触表面上に配置されるスキンケア組成物の量は、好ましくは、約０．０５ｍｇ／ｉｎ2 （０．００７８ｍｇ／ｃｍ2 ）から約２５ｍｇ／ｉｎ2 （３．９ｍｇ／ｃｍ2 ）の範囲をとり、より好ましくは、約０．１ｍｇ／ｉｎ2 （０．０１６ｍｇ／ｃｍ2 ）から約１０ｍｇ／ｉｎ2 （１．５ｍｇ／ｃｍ2 ）の範囲をとり、さらにより好ましくは、約０．５ｍｇ／ｉｎ2 （０．０７８ｍｇ／ｃｍ2 ）から約４ｍｇ／ｉｎ2 （０．６ｍｇ／ｃｍ2 ）の範囲を取る。
【００９１】
スキンケア組成物は、（１）１種類以上のエモリエント剤、（２）エモリエント剤を安定化させるための１種類以上の固定化剤、（３）１種類以上のスキンケア活性成分、および（４）他の任意成分を含み得る。スキンケア組成物のそれぞれの成分の種類、グレード、および含有量は任意であるけれども、少なくとも１種のスキンケア活性成分を含むスキンケア組成物は、好ましくは４０℃で、約３×１０4 ダイン／ｃｍ2 未満の剪断応力の下で約１０5 ポイズを超える粘度を満足させ、約１０6 ダイン／ｃｍ2 を超える剪断応力の下で約１０2 ポイズ未満の粘度を満足させる。特に、スキンケア組成物がエモリエント剤および固定化剤を含むとき、エモリエント剤および固定化剤の量の選択された範囲は、上記粘度範囲を達成する役割をする。すなわち、スキンケア組成物は、約４０から約９０％のエモリエント剤を含む。好ましくは、スキンケア組成物は、約５０から約８５％、より好ましくは約６０から８０％のエモリエント剤を含む。スキンケア組成物は、約１０から約６０％の固定化剤を含む。好ましくは、スキンケア組成物は、約１５から約５０％、より好ましくは約２０から約４０％の固定化剤を含む。
【００９２】
１．エモリエント剤
スキンケア組成物の１つの重要な成分は１種類以上のエモリエント剤である。エモリエント剤は、皮膚を軟化させ、平滑化し、被覆し、加湿し、潤滑化し、または清浄化する材料から選択される。一般的に、エモリエント剤は、皮膚を平滑化し、加湿し、潤滑化させるようなそれらの目的のいくつかを同時に達成する。エモリエント剤は、好ましくは、２０℃で粘弾性コンシステンシーを有する。しかしながら、エモリエント剤と他の成分（例えば固定化剤）の組み合わせのようなスキンケア組成物が上記粘性を満足させる限りこのことは本質的なことではない。
【００９３】
エモリエント剤はまた水分が実質的に存在しない。本明細書で、水分が実質的に存在しないとは、水分がエモリエント剤に意図的に加えられないことを意味する。エモリエント剤への水分の添加は、スキンケア組成物の調製または使用において必要とされない。しかしながら、周囲湿度の結果として含まれるエモリエント剤中の少量および／または痕跡量の水分は、悪影響無しに許容され得る。典型的には、エモリエント剤は、約５％以下の水分、好ましくは約１％以下の水分、最も好ましくは約０．５％以下の水分を含み得る。
【００９４】
エモリエント剤は好ましくは、汗、便、および／または経血が皮膚および／または製品のトップシートに対してよりエモリエント剤に対してより大きな接触角を形成するように疎水性である。疎水性エモリエント剤は、皮膚および／または製品のトップシートに対して汗、便、および／または経血の濡れを減少させ、それにより、着用者の皮膚についての粘着感を減少させる。
【００９５】
エモリエント剤には、石油系、脂肪酸エステルタイプ、アルキルエトキシレートタイプ、脂肪酸エステルエトキシレート、脂肪アルコールタイプ、ポリシロキサンタイプ、またはそれらの混合物が含まれる。
【００９６】
石油系エモリエント剤にはペトロラタムが含まれる。ペトロラタムは１６以上のアルキル鎖長を有する脂肪族炭化水素の混合物であり、固有的にゼリー状外観およびゼリー状感触を有する。ペトロラタムはまた、ときどき、鉱油および微小結晶性ワックスの混合物としてのカテゴリーに入れられる。本明細書で、鉱油とは、１６から２４のアルキル鎖長を有する炭化水素の低粘性混合物を有するペトロラタムの画分を称する。本明細書で、微小結晶性ワックスとは、２５以上のアルキル鎖長を有する炭化水素の高粘性混合物を有するペトロラタムの画分を称する。エモリエント剤としてのペトロラタムは、そのゼリー状の感触のために皮膚に平滑さを提供する。また、エモリエント剤としてのペトロラタムは、皮膚を被覆するかまたは皮膚により吸収されえ、それにより皮膚に加湿をもたらす。
【００９７】
ペトロラタムは、重脂肪族炭化水素および軽脂肪族炭化水素を含む。重脂肪族炭化水素および軽脂肪族炭化水素は、通常の鎖および異性体の両方を含むペトロラタムにおけるアルカンのアルキル鎖長により定義され得る。ペトロラタムの軽脂肪族炭化水素はペトロラタムの重脂肪族炭化水素より速く移行を起こす傾向がある。というのは、分子の分子量および直径は脂肪族炭化水素の流動特性（すなわち粘性）および拡散速度を決定するからである。それゆえ、重脂肪族炭化水素がペトロラタム中に軽脂肪族炭化水素より多く現れることが好ましい。重脂肪族炭化水素および軽脂肪族炭化水素の量は、重量により比較可能である（重量＝（分子の数）×（分子の分子量））。軽脂肪族炭化水素の減少は、ペトロラタムの移行を減少させることに寄与する。しかしながら、あまりの多量の重脂肪族炭化水素は、スキンケア組成物を流動させるにはあまりに堅くしてしまうであろう。それゆえ、重脂肪族炭化水素の量と軽脂肪族炭化水素の量との間のバランスが取られるべきである。ペトロラタムは、好ましくは、２３〜２６のアルキル鎖長を有する軽脂肪族炭化水素より３３〜３６のアルキル鎖長を有する重脂肪族炭化水素を有する。この場合において、重脂肪族炭化水素対軽脂肪族炭化水素の比は、好ましくは、２．０：１．０ないし１．０：１．０であり、より好ましくは、１．５：１．０ないし１．０：１．０である。より好ましくは、ペトロラタムは、２０〜２６のアルキル鎖長を有する軽脂肪族炭化水素より３０〜３６のアルキル鎖長を有する重脂肪族炭化水素を有する。この場合において、重脂肪族炭化水素対軽脂肪族炭化水素の比は、好ましくは２．５：１．０ないし１．０：１．０であり、より好ましくは、２．０：１．０ないし１．０：１．０である。さらに好ましくは、ペトロラタムは、１７〜２６のアルキル鎖長を有する軽脂肪族炭化水素より２７〜３６のアルキル鎖長を有する重脂肪族炭化水素を有する。この場合において、重脂肪族炭化水素対軽脂肪族炭化水素の比は、好ましくは３．５：１．０ないし１．５：１．０であり、より好ましくは、３．０：１．０ないし２．０：１．０である。
【００９８】
適切な脂肪酸エステルには、Ｃ12〜Ｃ28脂肪酸、好ましくはＣ16〜Ｃ24飽和脂肪酸、および短鎖（Ｃ1 〜Ｃ8 、好ましくはＣ1 〜Ｃ3 ）１価アルコールから誘導されるものが含まれる。そのようなエステルの代表例には、メチルパルミテート、メチルステアレート、イソプロピルラウレート、イソプロピルミリステート、イソプロピルパルミテート、エチルヘキシルパルミテート、およびそれらの混合物が含まれる。適切な脂肪酸エステルはまた、ラウリルラクテートおよびセチルラクテートのような、長鎖脂肪アルコール（Ｃ12〜Ｃ28、好ましくはＣ12〜Ｃ16）と例えば乳酸のような短鎖脂肪酸のエステルからも誘導され得る。エモリエント剤としての脂肪酸エステルは、皮膚に平滑さを提供する。また、エモリエント剤としての脂肪酸エステルは、皮膚を被覆し、それにより皮膚の加湿をもたらす。
【００９９】
適切なアルキルエトキシレートには、約２から約３０の平均エトキシル化度を有するＣ12〜Ｃ22脂肪アルコールエトキシレートが含まれる。好ましくは、脂肪アルコールエトキシレートは、約２から約２３の範囲の平均エトキシル化度を有するラウリル、セチル、およびステアリルエトキシレートおよびそれらの混合物からなる群より選択される。そのようなアルキルエトキシレートの典型例には、ラウレス−３（３の平均エトキシル化度を有するラウリルエトキシレート）、ラウレス−２３（２３の平均エトキシル化度を有するラウリルエトキシレート）、セテス−１０（１０の平均エトキシル化度を有するセチルアルコールエトキシレート）、およびステアレス−１０（１０の平均エトキシル化度を有するステアリルアルコールエトキシレート）が含まれる。エモリエント剤としてのそれらのアルキルエトキシレートは、典型的には、約１：１から約１：５、好ましくは約１：２から約１：４のアルキルエトキシレートエモリエント剤対ペトロラタムエモリエント剤の重量比でエモリエント剤としてペトロラタムと組み合わせて用いられる。
【０１００】
適切な脂肪アルコールには、Ｃ12〜Ｃ24脂肪アルコール、好ましくはＣ16〜Ｃ24脂肪アルコール、最も好ましくはＣ18〜Ｃ24アルコールが含まれる。典型例には、セチルアルコール、ステアリルアルコール、ベヘニルアルコールおよびそれらの混合物が含まれる。エモリエント剤としてのそれらの脂肪アルコールは、典型的には、約１：１から約１：５、好ましくは約１：１から約１：２の脂肪アルコールエモリエント剤対ペトロラタムエモリエント剤の重量比でエモリエント剤としてペトロラタムと組み合わせて用いられる。
【０１０１】
他の適切なタイプのエモリエント剤には、ときどきシリコーン化合物または代わりにシリコーンポリマー化合物と呼ばれるポリシロキサン化合物が含まれる。一般的に、適切なポリシロキサン化合物には、以下の構造、
【化１】
0004762470.tif 000002
（式中、それぞれ独立のシロキサンモノマー単位についてＲ1 およびＲ2 はそれぞれ独立に、水素またはいずれかのアルキル、アリール、アルケニル、アルカリール、アラキル、シクロアルキル、ハロゲン化炭化水素または他のラジカルであり得る）のモノマーシロキサン単位を有するものが含まれる。そのようなラジカルのいずれもが置換されていても置換されていなくてもよい。いずれか特定のモノマー単位のＲ1 およびＲ2 ラジカルは、次の隣接するモノマー単位の対応する官能基とは異なり得る。加えて、ポリシロキサンは、直鎖か、分岐鎖か、または環構造を有するかのいずれかであり得る。ラジカルＲ1 およびＲ2 は、加えて独立に、限定されないが、シロキサン、ポリシロキサン、シラン、およびポリシランのような他のケイ素系官能基であり得る。ラジカルＲ1 およびＲ2 は、例えば、アルコール、カルボン酸、フェニル、およびアミン官能基を含む様々の有機官能基のいずれかを含み得る。
【０１０２】
典型的なアルキルラジカルは、メチル、エチル、プロピル、ブチル、ペンチル、ヘキシル、オクチル、デシル、オクタデシルなどである。典型的なアルケニルラジカルは、ビニル、アリルなどである。典型的なアリールラジカルは、フェニル、ジフェニル、ナフチルなどである。典型的なアルカリールラジカルは、トイル、キシリル、エチルフェニルなどである。典型的なアラルキルラジカルは、ベンジル、アルファ−フェニルエチル、ベータ−フェニルエチル、アルファ−フェニルブチルなどである。典型的なシクロアルキルラジカルは、シクロブチル、シクロペンチル、シクロヘキシルなどである。典型的なハロゲン化炭化水素ラジカルは、クロロメチル、ブロモエチル、テトラフルオロエチル、フルオロエチル、トリフルオロエチル、トリフルオロトロイル、ヘキサフルオロキシリルなどである。
【０１０３】
ポリシロキサンが流動性であるかまたは製品のトップシートへの付与のために流動性とされうる限り、ポリシロキサンの粘度が一般的に変化するのと同じ大きさで有用なポリシロキサンの粘度は変化し得る。これは、限定されないが、（３７℃でガラス粘度系により測定して）５センチストークスから約２０，０００，０００センチストークスほどの低さの粘度を含む。好ましくは、ポリシロキサンは、３７℃で、約５から約５，０００センチストークス、より好ましくは約５から約２，０００センチストークス、最も好ましくは約１００から約１０００センチストークスの範囲の粘度を有する。それ自体流動に対して抵抗性である高粘度ポリシロキサンは、例えば、界面活性剤中にポリシロキサンを乳化するかまたは単に例示目的のために挙げられるヘキサンのような溶媒の補助により溶液としてポリシロキサンを提供するような方法により製品のトップシート上に有効に堆積され得るものである。製品のトップシート上にポリシロキサンエモリエント剤を付与するための特定の方法が本明細書で以後より詳細に記載されている。
【０１０４】
好ましいポリシロキサン化合物は、１９９１年１０月２２日に発行された（アンプルスキらの）米国特許第５，０５９，２８２号において開示されており、それは、参照により本明細書に組み込まれている。スキンケア組成物においてエモリエント剤としての使用のために特に好ましいポリシロキサン化合物には、それぞれ、フェニル官能ポリメチルシロキサン化合物（例えば、ダウコーニング５５６化粧品グレード流体：ポリフェニルメチルシロキサン）およびダウ２５０２およびダウ２５０３ポリシロキサン流体のようなセチルまたはステアリル官能ジメチコーンが含まれる。フェニル官能基またはアルキル基とのそのような置換に加えて、有効な置換は、アミノ、カルボキシル、ヒドロキシル、エーテル、ポリエーテル、アルデヒド、ケトン、アミド、エステル、およびチオール基となされ得る。それらの有効な置換基の中で、フェニル、アミノ、アルキル、カルボキシル、およびヒドロキシル基を含む群の族が他より好ましく、フェニル官能基が最も好ましい。
【０１０５】
ペトロラタムエモリエント剤、脂肪酸エステルエモリエント剤、脂肪酸エステルエトキシレートエモリエント剤、アルキルエトキシレートエモリエント剤、脂肪アルコールエモリエント剤、およびポリシロキサン化合物エモリエント剤に加えて、エモリエント剤は、少量（例えば全エモリエント剤の約１０％まで）の他の通常のエモリエント剤も含み得る。それらの他の通常のエモリエント剤には、プロピレングリコール、グリセリン、トリエチレングリコール、鯨油または他のワックス、ステアリン酸のような脂肪酸、およびその脂肪鎖に１２から２８個の炭素原子を有する脂肪アルコールエーテル、プロポキシル化脂肪アルコール、グリセリド、アセトグリセリド、およびＣ12〜Ｃ28脂肪酸のエトキシル化グリセリド、多価アルコールの他の脂肪エステル、ラノリンおよびその誘導体が含まれる。それらの他のエモリエント剤は、スキンケア組成物の固形または半固形特性が維持されるような様式で含まれるべきである。
【０１０６】
スキンケア組成物において含まれ得るエモリエント剤の量は、含まれる特定のエモリエント剤、所望の利益、スキンケア組成物中の他の成分等の要因を含む様々の要因に依存するであろう。
【０１０７】
２．固定化剤
スキンケア組成物のもう１つの重要な成分は固定化剤である。固定化剤は、スキンケア組成物のエモリエント剤を増粘することを可能とする。固定化剤は、エモリエント剤中で可溶性でも不溶性でもあり得る。理論により拘束されることを望まないけれども、固定化剤は、スキンケア組成物を増粘するためにスキンケア組成物（例えばエモリエント剤）中で微視的網状構造を形成すると思われる。本明細書で、「微視的網状構造」とは、その単位がエモリエント剤中で可溶性である固定化剤の分子、またはエモリエント剤中で不溶性である固定化剤の粒子である網状構造を称する。特に、エモリエント剤中で可溶性である固定化剤の「微視的網状構造」は、ときどき、「液晶」と称される。微視的網状構造において、分子または粒子は、分子または粒子の間で可撓性の／弱い接続を形成する。
【０１０８】
固定化剤は、少量の固定化剤が予測される増粘を与えるのに必要とされるようにスキンケア組成物中に均質に分散されるべきである。スキンケア組成物中に含まれるより少量の固定化剤は、より多くの量のエモリエント剤を許容し、エモリエント剤は、スキンケア組成物中で予測される皮膚効果のための活性成分の１つである。スキンケア組成物中に均質に分散した固定化剤はまた、スキンケア組成物の品質の変化を制御することも可能とする。好ましくは、固定化剤は、エモリエント剤中で、十分な可溶性または分散性を有する。ほとんどの場合および好ましい事例において、エモリエント剤は疎水性である。この場合において、固定化剤もまた、エモリエント剤と固定化剤が所望の均質混合物を達成するように疎水性であるべきである。固定化剤とエモリエント剤は、ときどき、それらの両方を溶融しながらコンパウンド化される。
【０１０９】
エモリエント剤中に可溶性である固定化剤は、Ｃ14〜Ｃ24脂肪アルコール、Ｃ12〜Ｃ24脂肪酸、および２から約３０の範囲の平均エトキシル化度を有するＣ12〜Ｃ24脂肪アルコールエトキシレートおよびそれらの混合物からなる群より選択される成分を含み得る。好ましい固定化剤には、Ｃ16〜Ｃ24脂肪アルコール、より好ましくはＣ18〜Ｃ24脂肪アルコールが含まれる。代表例には、ステアリルアルコール、アラキジルアルコール、ベヘニルアルコール、リグノセリル（ｌｉｇｎｏｃｅｒｙｌ）アルコール、およびそれらの混合物が含まれる。本明細書で、「ステアリルアルコール」とは、主成分としてＣ18脂肪アルコールを含む混合された脂肪アルコールを称する。本明細書で、「アラキジルアルコール」とは、主成分としてＣ20脂肪アルコールを含む混合された脂肪アルコールを称する。本明細書で、「ベヘニルアルコール」とは、主成分としてＣ22脂肪アルコールを含む混合された脂肪アルコールを称する。本明細書で、「リグノカリル（ｌｉｇｎｏｃａｒｙｌ）アルコール」とは、主成分としてＣ24脂肪アルコールを含む混合された脂肪アルコールを称する。好ましくは、固定化剤は、ベヘニルアルコールを含む。固定化剤としてのベヘニルアルコールは、好ましくは、主成分としてのＣ22脂肪アルコールおよび少量のＣ24脂肪アルコールを含む。ベヘニルアルコールはまた、Ｃ18脂肪アルコールおよびＣ20脂肪アルコールも含み得る。ベヘニルアルコール中に少量のＣ24脂肪アルコールを含ませることにより、ベヘニルアルコールは、エモリエント剤により大きな安定性を付与し、スキンケア組成物のエモリエント剤をより効率的に固定化する。ベヘニルアルコールがＣ18脂肪アルコール、Ｃ20脂肪アルコール、Ｃ22脂肪アルコール、およびＣ24脂肪アルコールを含むとき、それぞれの成分の比は、好ましくは以下のとおりである、約５０％から約９９．９９％のＣ22脂肪アルコール、より好ましくは、約６３％から約８４．９％のＣ22脂肪アルコール、約０．０１％から約３％のＣ24脂肪アルコール、より好ましくは、約０．１％から約２％のＣ24脂肪アルコール、約０％から約２７％のＣ20脂肪アルコール、より好ましくは、約１０％から約２０％のＣ20脂肪アルコール、約０％から約２０％のＣ18脂肪アルコール、より好ましくは約５％から約１５％のＣ18脂肪アルコール。固定化剤としての好ましいベヘニルアルコールの１つは、ペンシルバニア州（１９００２）、アンブラー、ブルックサイド・アベニュー３００、コスファのヘンケルＣｏｒｐ．から入手可能なラネット２２である。
【０１１０】
他の好ましい固定化剤には、Ｃ16〜Ｃ24脂肪酸、より好ましくはステアリン酸、ベヘン酸およびそれらの混合物からなる群より選択されるＣ18〜Ｃ24脂肪酸が含まれる。ベヘン酸が最も好ましい。さらに他の好ましい固定化剤には、約５から約２０の平均エトキシル化度を有するＣ16〜Ｃ24脂肪アルコールエトキシレートが含まれる。好ましくは、脂肪アルコール、脂肪酸と脂肪アルコールは、直鎖であり、分岐した異性体を含まない。
【０１１１】
重要なこととして、Ｃ18〜Ｃ24脂肪アルコールのようなそれらの好ましい固定化剤は、スキンケア組成物中で微視的網状構造を提供すると推定され、それにより、スキンケア組成物中に含まれるエモリエント剤のみよりはるかに粘性であるスキンケア組成物をもたらす。Ｃ18〜Ｃ24脂肪アルコールのようなそれらの好ましい固定化剤は、エモリエント剤および固定化剤の均質混合物を形成するのに十分に溶解性である。
【０１１２】
エモリエント剤中で溶解性である固定化剤の他のタイプは、単独でか、または上記脂肪アルコール、脂肪酸および脂肪アルコールエトキシレートと組み合わせでかのいずれかで用いられ得る。それらの他のタイプの固定化剤の例には、ポリヒドロキシ脂肪酸エステル、ポリヒドロキシ脂肪酸アミドおよびそれらの混合物が含まれる。好ましいエステルおよびアミドは、ポリヒドロキシ部分に３以上の遊離ヒドロキシ基を有し、典型的には、特性としてノニオン性である。スキンケア組成物が適用される製品のトップシートを用いるものの可能な皮膚の感受性のために、それらのエステルおよびアミドはまた相対的に温和であり、皮膚に刺激がないものであるべきである。
【０１１３】
適切なポリヒドロキシ脂肪酸エステルは、式、
【化２】
0004762470.tif 000003
（式中、ＲはＣ5 〜Ｃ31炭化水素基、好ましくは、直鎖Ｃ7 〜Ｃ19アルキルまたはアルケニル、より好ましくは直鎖Ｃ9 〜Ｃ17アルキルまたはアルケニル、最も好ましくは、直鎖Ｃ11〜Ｃ17アルキルまたはアルケニル、またはそれらの混合物であり、Ｙは、鎖に直接接続した少なくとも２つの遊離ヒドロキシルを有する炭化水素鎖を有するポリヒドロキシ炭化水素部分であり、ｎは少なくとも１である。）を有する。適切なＹ基は、グリセロール、ペンタエリスリトールのようなポリオール、ラフィノース、マリトデキストロース、ガラクトース、シュークロース、グルコース、キシロース、フルクトース、マルトース、ラクトース、マンノースおよびエリスロースのような糖、エリスリトール、キシリトール、マリトール、マンニトール、およびソルビトールのような糖アルコール、およびソルビタンのような糖アルコールの無水物に由来し得る。
【０１１４】
適切なポリヒドロキシ脂肪酸エステルの１つのクラスには、ある種のソルビタンエステル、好ましくは、Ｃ16〜Ｃ22飽和脂肪酸のソルビタンエステルが含まれる。それらが典型的に製造される方式のために、それらのソルビタンエステルは、通常、モノ−、ジ−、トリ−などのエステルの混合物を含む。適切なソルビタンエステルの典型例には、例えば、ソルビタンモノ−、ジ−、トリパルミテート、ソルビタンモノ−、ジ−、およびトリ−ステアレート、ソルビタンモノ−、ジ−、およびトリベヘネート、ならびに、混合獣脂脂肪酸ソルビタンモノ−、ジ−、およびトリ−エステルのようなソルビタンエステルの１以上のモノ−、ジ−およびトリエステルバージョンを含むソルビタンパルミテート（例えばＳＰＡＮ４０）、ソルビタンステアレート（例えば、ＳＰＡＮ６０）、およびソルビタンベヘネートが含まれる。ソルビタンステアレートを有するソルビタンパルミテートのような異なるソルビタンエステルの混合物もまた用いられ得る。特に好ましいソルビタンエステルは、典型的には、ＳＰＡＮ６０のようなモノ−、ジ−およびトリエステル（加えて一部テトラエステル）の混合物としてのソルビタンステアレートおよびロンザ，Ｉｎｃ．により商品名ＧＬＹＣＯＭＵＬ−Ｓの下で販売されるソルビタンステアレートである。それらのソルビタンエステルは、典型的には、モノ−、ジ−およびトリ−エステル、加えて一部テトラエステルの混合物を含むけれども、モノ−およびジ−エステルは、通常それらの混合物において優先種である。
【０１１５】
別のクラスの適切なポリヒドロキシ脂肪酸エステルには、ある種のグリセリルモノエステル、好ましくは、グリセリルモノステアレート、グリセリルモノパルミテート、およびグリセリルモノベヘネートのようなＣ16〜Ｃ24飽和脂肪酸のグリセリルモノエステルが含まれる。また、ソルビタンエステルのように、グリセリルモノエステル混合物は、典型的には、一部ジ−およびトリエステルを含む。しかしながら、そのような混合物は、優先的には、グリセリルモノエステル種を含むべきである。
【０１１６】
別のクラスの適切なポリヒドロキシ脂肪酸エステルには、ある種のシュークロース脂肪酸エステル、好ましくは、シュークロースのＣ12〜Ｃ24飽和脂肪酸エステルが含まれる。シュークロースモノエステルおよびジエステルは特に好ましく、シュークロースモノ−およびジ−ステアレートおよびシュークロースモノ−およびジ−ラウレートが含まれる。
【０１１７】
適切なポリヒドロキシ脂肪酸アミドは、式
【化３】
0004762470.tif 000004
（式中、Ｒ1 はＨ、Ｃ1 〜Ｃ4 炭化水素、２−ヒドロキシエチル、２−ヒドロキシプロピル、メトキシエチル、メトキシプロピル、またはそれらの混合物、好ましくは、Ｃ1 〜Ｃ4 アルキル、メトキシエチルまたはメトキシプロピル、より好ましくはＣ1 またはＣ2 アルキルまたはメトキシプロピル、最も好ましくはＣ1 アルキル（すなわちメチル）またはメトキシプロピルであり、Ｒ2 は、Ｃ5 〜Ｃ31炭化水素基、好ましくは直鎖Ｃ7 〜Ｃ19アルキルまたはアルケニル、より好ましくは、直鎖Ｃ9 〜Ｃ17アルキルまたはアルケニル、最も好ましくは直鎖Ｃ11〜Ｃ17アルキルまたはアルケニルまたはそれらの混合物であり、Ｚは、鎖に直接接続された少なくとも３つのヒドロキシを有する直鎖炭化水素鎖を有するポリヒドロキシ炭化水素部分である）を有する。（参照により本明細書に組み込まれる）１９９２年１２月２９日に発行された米国特許第５，１７４，９２７号（ホンザ）を参照されたい、それはそれらのポリヒドロキシ脂肪酸アミドならびにその製造を開示する。
【０１１８】
Ｚ部分は、好ましくは、還元アミノ化反応で糖を還元することで誘導され、最も好ましくはグリシチルから誘導される。適切な還元糖には、グルコース、フルクトース、マルトース、ラクトース、ガラクトース、マンノースおよびキシロースが含まれる。高デキストロースコーンシロップ、高フルクトースコーンシロップ、および高マルトースコーンシロップならびに上記の個々の糖が利用され得る。それらのコーンシロップは、Ｚ部分のための糖成分の混合物を生み出し得る。
【０１１９】
Ｚ部分は、好ましくは、−ＣＨ2 −（ＣＨＯＨ）n −ＣＨ2 ＯＨ、−ＣＨ（ＣＨ2 ＯＨ）−［（ＣＨＯＨ）n-1 ］−ＣＨ2 ＯＨ、−ＣＨ2 ＯＨ−ＣＨ2 −（ＣＨＯＨ）2 （ＣＨＯＲ3 ）（ＣＨＯＨ）−ＣＨ2 ＯＨ（式中、ｎは３から５の整数であり、Ｒ3 はＨまたは環状もしくは脂肪族モノサッカライドである）からなる群より選択される。最も好ましいのはｎが４であるグリシチルであり、特に−ＣＨ2 −（ＣＨＯＨ）4 −ＣＨ2 ＯＨである。
【０１２０】
上記式において、Ｒ1 は、例えば、Ｎ−メチル、Ｎ−エチル、Ｎ−プロピル、Ｎ−イソプロピル、Ｎ−ブチル、Ｎ−２−ヒドロキシエチル、Ｎ−メトキシプロピルまたはＮ−２−ヒドロキシプロピルでありうる。Ｒ2 は、例えば、コカミド、ステアラミド、オレアミド、ラウラミド、ミリスタミド、カプリカミド、パルミタミド、タロウアミドなどを提供するように選択され得る。Ｚ部分は、１−デオキシグルシチル、２−デオキシフルクチチル、１−デオキシマルチチル、１−デオキシラクチチル、１−デオキシガラクチチル、１−デオキシマンニチル、１−デオキシマルトトリオチチルなどであり得る。
【０１２１】
最も好ましいポリヒドロキシ脂肪酸アミドは、一般式
【化４】
0004762470.tif 000005
（式中、Ｒ1 はメチルまたはメトキシプロピルであり、Ｒ2 は、Ｃ11〜Ｃ17直鎖アルキルまたはアルケニル基である）を有する。それらには、Ｎ−ラウリル−Ｎ−メチルグルカミド、Ｎ−ラウリル−Ｎ−メトキシプロピルグルカミド、Ｎ−ココイル−Ｎ−メチルグルカミド、Ｎ−ココイル−Ｎ−メトキシプロピルグルカミド、Ｎ−パルミチル−Ｎ−メトキシプロピルグルカミド、Ｎ−タロウイル−Ｎ−メチルグルカミド、またはＮ−タロウイル−Ｎ−メトキシプロピルグルカミドが含まれる。
【０１２２】
すでに記載したように、ある種の固定化剤は、エモリエント剤中での可溶化のための乳化剤を必要とする。これは特に、少なくとも約７のＨＬＢ値を有するＮ−アルキル−Ｎ−メトキシプロピルグルカミドのようなある種のグルカミドについての場合である。適切な乳化剤には、典型的には、約７未満のＨＬＢ値を有するものが含まれる。この点について、約４．９以下のＨＬＢ値を有するソルビタンステアレートのようなすでに記載されたソルビタンエステルがペトロラタム中のそれらのグルカミド固定化剤を可溶化する上で有用であることが見出されている。他の適切な乳化剤には、ステアレス−２（式ＣＨ3 （ＣＨ2 ）17（ＯＣＨ2 ＣＨ2 ）n ＯＨ（式中、ｎは２の平均値を有する）に合致するステアリルアルコールのポリエチレングリコールエーテル）、ソルビタントリステアレート、イソソルバイドラウレート、およびグリセリルモノステアレートが含まれる。乳化剤は、実質的に均質な混合物が得られるように、エモリエント剤中に固定化剤を可溶化するのに十分な量が含まれ得る。例えば、通常単相混合物に溶融しないＮ−ココイル−Ｎ−メチルグルカミドとペトロラタムのほぼ１：１の混合物は、乳化剤としての２０％のステアレス−２とソルビタントリステアレートの１：１混合物の添加により単相に溶融し得る。
【０１２３】
単独または上記固定化剤と組み合わせのいずれかで固定化剤として用いられ得るエモリエント剤中に可溶性である他のタイプの成分には、カルナウバワックス、ビーズワックス、キャンデリラワックス、パラフィンワックス、微小結晶性ワックス、カストールワックス、セレシン、エスパルト、ウーリキュリ、レゾワックス、ポリエチレンワックス、および他の公知のワックスのようなワックスが含まれる。好ましくは、そのワックスは、微小結晶性ワックスである。特に好ましい微小結晶性ワックスの例は、コネチカット州（０６８３１−２５５９）グリーンウィッチ、ワン・アメリカン・レーンのウィトコ・コーポレーションのマルチワックスＷ−８３５である。
【０１２４】
エモリエント剤中に不溶性である固定化剤は、粒子性増粘剤である。本明細書で、「粒子性増粘剤」とは、小さな微細に粉砕された粒子の形態で存在する固定化剤を意味する。粒子性増粘剤は、その粒子構造のために、スキンケア組成物の平滑感または潤滑効果を高めることが可能である。例えば、ヒュームドシリカは「ボール」のように球状であるので、剪断力が加えられるとき、潤滑効果をもたらし、ベアリングとして機能し得る。ベントナイトまたはヘクトライトは、容易にすべり、したがって平滑感をもたらし得る複数の薄層からなる。平均直径または対応平均直径は、約１００ミクロン未満、好ましくは約２０ミクロン未満、より好ましくは約１０ミクロン未満であり得る。粒子が球とは異なる形態を有するとき、非球状粒子の対応直径は、非球状粒子と同じ体積を有する球の直径により表され得る。対応直径は、マイクロトラックＸ−１００の名称の下で、ミネソタ州ミネアポリスのハネウエルプラザのハネウエルＩｎｃ．により供給されるレーザー・パーティクル・アナライザーにより測定され得る。
【０１２５】
粒子性増粘剤は、エモリエント剤中に本質的に不溶性であるが、しかし、その中に微視的網状構造を形成して分散し得るものであり、エモリエント剤のための固体構造を提供する。粒子性増粘剤は、シリカ、処理されたシリカ、ポリメタクリレートポリマー、ポリメタクリレートとスチレンのコポリマー、カルシウムシリケート、処理されたカルシウムシリケート、処理されたベントナイト、処理されたヘクトライト、およびそれらの混合物からなる群より選択され得る。ここでの使用にとって好ましい粒子性増粘剤はヒュームドシリカである。ここでの使用にとってより好ましいものは、表面処理されたヒュームドシリカである。さらにより好ましいものは、ポリアルキルシロキサン処理されたヒュームドシリカ、トリアルキルシラン化されたヒュームドシリカ、ジアルキルジシラン化されたヒュームドシリカおよびそれらの混合物からなる群より選択されたヒュームドシリカである。最も好ましいものは、ポリジメチルシロキサン処理されたヒュームドシリカ、トリメチルシラン化されたヒュームドシリカ、ジメチルジシラン化されたヒュームドシリカおよびそれらの混合物からなる群より選択されたヒュームドシリカである。
【０１２６】
シリカはまた、二酸化ケイ素またはケイ酸無水物としても知られ、それは、化学式ＳｉＯ2 により表され得る。ここで有用である異なるタイプのシリカの種類は、ヒュームドシリカ、またはアークドシリカ（ａｒｃｅｄ  ｓｉｌｉｃａ）、沈降シリカ、シリカゲル、アモルファスシリカ、およびシリカゾルおよびコロイドとして知られている。アークドシリカとしてもまた知られるヒュームドシリカは、水素酸素炎中の四塩化ケイ素の蒸気相加水分解により製造される。理論により限定されないが、燃焼プロセスが粒子を形成するように濃縮する二酸化珪素分子を作り出すと思われる。粒子は、衝突し、付着し、互いに焼結する。このプロセスの結果は、３次元分岐鎖凝集物である。一旦凝集物が約１７１０℃であるシリカの融点未満に冷えると、更なる衝突が凝集物を形成するように鎖の機械的交絡をもたらす。沈殿したシリカおよびシリカゲルは、一般的に、水溶液中で作られる。アモルファスシリカは、一般的に天然に産出する微小結晶性形態の材料である。シリカゾルおよびコロイドは、水溶液中のアモルファスシリカの分散物である。
【０１２７】
ヒュームドシリカおよび処理されたヒュームドシリカは、好ましくは、凝集物としての平均粒子サイズ、すなわち、約０．１ミクロンから約１００ミクロン、好ましくは、約１ミクロンから約５０ミクロン、およびより好ましくは、約１０ミクロンから約３０ミクロンの平均凝集粒子サイズを有する。集塊（ａｇｇｌｏｍｅｒａｔｅ）は、平均粒子サイズ、すなわち、約０．０１ミクロンから約１５ミクロン、好ましくは約０．０５ミクロンから約１０ミクロン、より好ましくは約０．１ミクロンから約５ミクロン、および最も好ましくは約０．２ミクロンから約０．３ミクロンの平均凝集粒子サイズを有する凝集物（ａｇｇｒｅｇａｔｅ）で構成されている。
【０１２８】
ヒュームドシリカ凝集物は、典型的には活性ヒドロキシル基を有する。特にスキンケア組成物中のエモリエント剤が疎水性であるとき、ヒドロキシル基をあまり反応性にしないためにそれらのヒュームドシリカを処理することが所望される。処理の有用な方法は、活性ヒドロキシル基をあまり反応性にしないように非極性有機化合物でヒュームドシリカを被覆することである。処理のための好ましい有機化合物にはポリアルキルシロキサンが含まれ、ポリジメチルシロキサンが最も好ましい。ここで有用な商業的に入手可能なポリジメチルシロキサン処理されたヒュームドシリカは、イリノイ州タスコラのカボット・コーポレーションにより商品名ＣＡＢ−Ｏ−Ｓｉｌ（登録商標）ＴＳ−７２０またはドイツのデグッサＡＧによるエアロジルＲ９７２の下で販売され、それらの両方は、ほぼ１２０ｍ2 ／ｇの表面積と５０ｇ／Ｌのかさ密度を有する。処理のもう１つの有用な方法は、例えばジメチルジクロロシランまたはヘキサメチルジシラザンのようなシラン化剤とヒュームドシリカのヒドロキシル基を化学的に反応させることである。それらの化学的に処理されたシリカについては、シリカの遊離のヒドロキシル基は、シラン化剤の酸素−ケイ素結合で置換される。商業的に入手可能なトリメチルシラン化ヒュームドシリカは、イリノイ州タスコラのカボット・コーポレーションにより商品名ＣＡＢ−Ｏ−Ｓｉｌ（登録商標）ＴＳ−５３０の下で販売され、それは、約２２０ｍ2 ／ｇの表面積および５０ｇ／Ｌのかさ密度を有する。商業的に入手可能なジメチルジシラン化ヒュームドシリカは、イリノイ州タスコラのカボット・コーポレーションにより商品名ＣＡＢ−Ｏ−ＳＩＬ（登録商標）ＴＳ−６１０の下で販売され、それは、約１２０ｍ2 ／ｇの表面積および５０ｇ／Ｌのかさ密度を有する。
【０１２９】
ここでもまた有用な粒子性増粘剤は、ポリメタクリレートポリマーおよびポリメタクリレートとスチレンのコポリマーである。それらの材料は、液体に対して増粘またはゲル化効果を提供する吸収性液体組成物として有用である膨潤性ポリマーである。ポリメタクリレートポリマーは、メタクリル酸エステル、好ましくはメチルまたはエチルエステルのホモポリマーであり、それは共通の架橋剤のいずれかと任意に架橋する。ポリメタクリレートとスチレンのコポリマーは、メタクリル酸エステル、好ましくはメチルまたはエチルエステルとスチレンのコポリマーであり、それは任意に共通の架橋剤のいずれかと架橋する。架橋剤は、最も典型的には、２以上の不飽和官能基を含む材料である。架橋剤は、ポリマーまたはコポリマーのモノマーユニットと反応し、ポリマーに組み込まれ、それにより、２以上の個々のポリマー鎖の間または同じポリマー鎖の２以上の部分の間に結合すなわち共有結合を形成する。適切な架橋剤の発明を限定しない例には、メチレンビスアクリルアミド、ジアリルジアルキルアンモニウムハライド、多価アルコールのポリアルケニルポリエーテル、アリルアクリレート、ビニルオキシアルキルアクリレート、および多官能ビニリデンからなる群より選択されるものが含まれる。ここで有用な架橋剤の具体例には、メチレンビスアクリルアミド、エチレングリコールジ（メタ）クリレート、ジ（メタ）クリルアミド、シアノメチルアクリレート、ビニルオキシエチルアクリレート、ビニルオキシエチルメタクリレート、アリルペンタエリスリトール、トリメチロールプロパンジアリルエーテル、アリルシュークロース、ブタジエン、イソプレン、ジビニルベンゼン、ジビニルナフタレン、エチルビニルエーテル、メチルビニルエーテル、およびアリルアクリレートからなる群より選択されるものが含まれる。他の架橋剤には、ホルムアルデヒドおよびグリオキサールが含まれる。特に有用な架橋されたポリメタクリレートポリマーは、ミシガン州ミッドランドのダウコーニングＣｏｒｐ．により商品名ポリトラップ（登録商標）６６０３の下で販売されている。
【０１３０】
ここで有用な粒子性増粘剤はまた、処理されたベントナイトおよび処理されたヘクトライトである。ベントナイトは、コロイド状アルミニウムシリケートクレーである。ヘクトライトは、ナトリウム、マグネシウム、リチウム、ケイ素、酸素、水素およびフッ素を含むクレーである。特にスキンケア組成物中のエモリエント剤が疎水性であるときここで有用なのは、クレーをより非極性とする様々の有機化合物で処理されたベントナイトおよびヘクトライトである。本明細書で、「処理された」とは、有機化合物で被覆されたそれらの材料を意味する。処理されたベントンの発明を限定しない例には、ステアラルコニウムヘクトライト、クォーターニウム−１８ベントナイト、クォーターニウム−１８ヘクトライト、ひまし油とステアラルコニウムヘクトライトとプロピレンカーボネート、イソプロピルミリステートとステアラルコニウムヘクトライトとプロピレンカーボネート、イソドデカンとクォーターニウム−１８ヘクトライトとプロピレンカーボネート、ラノリンオイルとイソプロピルパルミテートとステアラルコニウムヘクトライトとプロピレンカーボネートとプロピルパラベン、プロピレングリコールジカプリレート／ジカプレートとステアラルコニウムヘクトライトとプロピレンカーボネート、鉱油とクォーターニウム−１８ヘクトライトとプロピレンカーボネート、鉱油とクォーターニウム−１８ヘクトライトとＳＤアルコール４０、石油蒸留物とクォーターニウム−１８ヘクトライトとプロピレンカーボネート、Ｃ12-15 アルキルベンゾエートとステアラルコニウムヘクトライトとプロピレンカーボネート、シクロメチコーンとクォーターニウム−１８ヘクトライトとＳＤアルコール４０、シクロメチコーンとクォーターニウム−１８ヘクトライトとプロピレンカーボネート、およびそれらの混合物が含まれる。
【０１３１】
ここでもまた有用な粒子性増粘剤は、カルシウムシリケートおよび処理されたカルシウムシリケートである。カルシウムシリケートの一般的形態には、ＣａＳｉＯ3 、ＣａＳｉＯ4 、およびＣａＳｉＯ5 が含まれる。それらの材料はまた、ケイ酸のカルシウム塩としても知られる。カルシウムシリケートは、その材料をより疎水性にするために広範な非極性有機化合物で処理され得る。有用なカルシウムシリケートには、以下の商業的に入手可能な材料、ヒューバーソーブ（メリーランド州ハーブ・ド・グレースのヒューバーＣｏｒｐ．）およびマイクロ−セルＣ、マイクロ−セルＥ、およびマイクロ−セルＴ−３８（コロラド州デンバーのセライトＣｏｒｐ．）が含まれる。
【０１３２】
上記全ての粒子性増粘剤のほとんどは、表面処理のためにスキンケア組成物中のエモリエント剤中に容易に分散し得る。表面処理の代わりに、または処理と組み合わせて、一部の乳化剤は時に有用になる。
【０１３３】
スキンケア組成物中に含まれ得る固定化剤の量は、様々の要因に依存し得る。
【０１３４】
３．スキンケア活性成分
様々のスキンケア活性成分がスキンケア組成物中に含まれ得る。それらのスキンケア活性成分は、好ましくは、スキンケア良能を提供する。それらの活性成分には、限定されないが、スキンケア剤、プロトン供与剤、酵素阻害剤またはそれらの混合物が含まれる。スキンケア組成物は、貯蔵または輸送中にあまり移行が起こらないために、含まれるスキンケア活性成分の初期量を減少させることを可能とし、一方、使用時に皮膚に有効量のスキンケア活性成分を投与する。
【０１３５】
スキンケア剤は、治療的および／または皮膚保護作用を与えるために加えられ得る。皮膚に投与されるスキンケア組成物として有用な多数の材料の中で、安全で有効なスキンケア剤およびそれらの混合物とみなされるものがここでの使用にとって合理的な材料であると認識される。そのような材料には、市販薬としてのヒトへの使用のための皮膚保護薬剤商品についての米国食品薬品局（ＦＤＡ）の仮の最終モノグラフ（２１Ｃ．Ｆ．Ｒ．§３４７）により規定されるカテゴリーＩ活性成分が含まれ、それには現在、アラントイン、水酸化アルミニウムゲル、カラマイン、ココアバター、ジメチコーン、（組み合わせで）タラ肝油、グリセリン、カオリン、ペトロラタム、ラノリン、鉱油、サメ肝油、白色ペトロラタム、タルク、トピカルスターチ、酢酸亜鉛、炭酸亜鉛、酸化亜鉛などが含まれる。他の潜在的に有用な材料は、市販薬としてのヒトへの使用のための皮膚保護薬剤商品についての米国食品薬品局の仮の最終モノグラフ（２１Ｃ．Ｆ．Ｒ．§３４７）により規定されるカテゴリーＩＩＩ活性成分であり、それには現在、生酵母細胞誘導体、アルディオキサ、酢酸アルミニウム、微小多孔性セルロース、コレカルシフェロール、コロイド状オートミール、塩酸システィン、デクスパンテノール、ペルー産バルサムオイル、たんぱく質加水分解物、メチオニンラセミ体、重炭酸ナトリウム、ビタミンＡ、カチオンおよびアニオン交換樹脂の緩衝混合物、コーンスターチ、トロラミンなどが含まれる。さらに、他の潜在的な材料は、市販薬としてのヒトへの使用のための皮膚保護薬剤商品についての米国食品薬品局の仮の最終モノグラフ（２１Ｃ．Ｆ．Ｒ．§３４７）により規定されるカテゴリーＩＩ活性成分であり、それには、亜硝酸ビスマス、ホウ酸、塩化第二鉄、ポリビニルピロリドン−酢酸ビニルコポリマー、硫黄、タンニン酸などが含まれる。スキンケア剤は、それらの材料およびその混合物から選択され得る。上記のように使用される材料は安全であるべきである。
【０１３６】
スキンケア組成物は、約０．００１％ないし約５０％のスキンケア剤を含み得る。スキンケア組成物中のスキンケア剤の濃度範囲は、材料ごとに変わる。以下の表１は、使用のために好ましいスキンケア剤およびスキンケア組成物中のその濃度範囲を示す。
【０１３７】
【表１】
0004762470.tif 000006
スキンケア組成物は、その範囲を超えて上記列挙された材料を含み得ると理解されるべきである。例えば、スキンケア組成物がエモリエント剤として４０％のペトロラタムおよびスキンケア剤として５０％のペトロラタム（もう１０％は固定化剤であり得る）を含むとき、スキンケア組成物の９０％はペトロラタムであろう。
【０１３８】
ＦＤＡのモノグラフに記載されたスキンケア剤の多くは、現在、ＡアンドＤ（登録商標）軟膏、バセリン（登録商標）石油ゼリー、デスティン（登録商標）おむつかぶれ軟膏およびデーリー・ケア（登録商標）軟膏、ゴールドボンド（登録商標）医療用ベビーパウダー、アクアファー治癒軟膏、ベビー・マジック（登録商標）ベビーローション、ジョンソンのウルトラ・センシティブ（登録商標）ベビークリームのような商業的に入手可能なスキンケア製品において利用されている。それらのスキンケア成分および／または製品は、処理された製品を作るために含まれ得る。
【０１３９】
プロトン供与活性成分は、その自然な酸性ｐＨで着用者の皮膚を維持する働きをするために加えられ得る。例えば、そのようなプロトン供与活性成分は、身体滲出物のいずれの大きいｐＨ（すなわち、＞７）成分を中和する上で有効であり得る。化学的に適切なプロトン供与活性成分は、少なくともわずかに酸性の条件で皮膚のｐＨを維持する働きをする上で有効である。プロトン供与活性成分の発明を限定しない典型例の列挙には、モノマー性有機酸、有機または無機酸の酸塩、およびポリマー有機酸およびその塩が含まれる。通常バッファーとして知られる酸およびその塩のある種の組み合わせもまた、酸／塩の組み合わせの水溶液が７未満のｐＨを有する限り適切である。適切な酸または酸塩は、約２．０ないし約６．５の少なくとも１つのｐＫａを有するべきである。適切なプロトン供与活性成分についてのｐＫａ値の好ましい範囲は、約２．５ないし約５．０である。好ましいプロトン供与活性成分には、製薬学的に許容可能なモノマーおよびポリマー有機酸が含まれる。
【０１４０】
使用にとって適切な典型的なモノマー有機酸には、クエン酸、リンゴ酸、アジピン酸、グルタール酸、乳酸、ソルビン酸、サリチル酸、酒石酸、マレイン酸、フマル酸、マロン酸、グリコール酸、およびコハク酸が含まれる。
【０１４１】
典型的な有機ポリマー酸には、例えば、アクリル酸それ自体、メタクリル酸、α−クロロアクリル酸、α−シアノアクリル酸、β−メチルアクリル酸（クロトン酸）、α−フェニルアクリル酸、β−アクリルオキシプロピオン酸、ソルビン酸、α−クロロソルビン酸、アンゲリカ酸、桂皮酸、ｐ−クロロ桂皮酸、β−ステアリルアクリル酸、イタコン酸、シトラコン酸、メサコン酸、グルタコン酸、アコニット酸、マレイン酸、フマル酸、トリカルボキシエチレン、およびマレイン酸無水物のホモポリマー、不飽和モノマー酸と適切なコモノマーとのコポリマーおよびそのようなポリマーの部分的に中和された塩のような酸性ビニルポリマー、セルロース誘導体が少なくとも部分的にプロトン付加されているカルボキシメチルセルロースのような酸性セルロース誘導体、リン酸セルロース、および酸化されたセルロース、およびカチオン交換樹脂が少なくとも部分的にプロトン付加されているカチオン交換樹脂が含まれる。
【０１４２】
典型的な無機塩には、リン酸一水素アルカリ金属塩、リン酸一水素および二水素アルカリ金属塩の混合物、ピロリン酸一水素アルカリ金属塩、およびピロリン酸一水素および二水素アルカリ金属塩の混合物が含まれる。
【０１４３】
着用者の皮膚に隣接する環境においてプロトン供与活性成分に分解し得る材料もまた使用にとって適切である。例えば、大便中のエステラーゼ酵素（例えば、大便リパーゼ）は、プロトン供与活性成分を提供するようにある種のエステルを加水分解しうる。このタイプの適切なプロトン供与活性成分は、式
【化５】
0004762470.tif 000007
（式中、Ｒ1 、Ｒ2 およびＲ3 は独立に、水素、１個から４個の炭素原子を有するアルキル基、アルケニル基、またはヒドロキシアルキル基である）を有する。このタイプの典型的なエステルはトリアセチンである。
【０１４４】
プロトン供与活性成分が酸性ｐＨで皮膚を維持する役割において有効であるために、プロトン供与活性成分は、スキンケア組成物の少なくとも０．０１％、典型的には少なくとも約０．５％、好ましくは少なくとも約３％のレベルで提供されるべきである。そのような適切なプロトン供与活性成分は、選ばれる具体的なプロトン供与活性成分に応じて、約０．０１％ないし約４０％のレベルでスキンケア組成物の成分として用いられ得る。好ましくは、プロトン供与活性成分は、スキンケア組成物の約０．５％ないし約２０％のレベルで用いられる。特に好ましい態様において、プロトン供与活性成分は、約３％ないし約７％のレベルで提供される。
【０１４５】
プロトン供与活性成分のそれらのおよび他の特徴は、１９９８年３月１２日にマックオスカーらの名義で出願された「吸収製品中のプロトン供与活性成分」という表題の米国特許出願シリアル番号第０９／０４１５０９号において開示され、それは参照により本明細書に組み込まれる。
【０１４６】
酵素に対する阻害剤は、皮膚に対する酵素活性を阻害し、炎症の発生を減少させ、または防止するために、皮膚／尿、皮膚／便、皮膚／経血界面で有用であるように加えられ得る。酵素活性の阻害剤は周知であり、典型的には、（酵素の活性部位で結合して基質と競合する）競合阻害剤および（酵素を不活性化するように活性部位以外の部位に結合する）非競合阻害剤に分類される。メタロプロテアーゼのような多くの酵素は、酵素の金属基と結合する物質により阻害される。キレート剤は、活性化のためにカルシウム、コバルト、銅、マグネシウム、マンガン、ナトリウム、カリウムまたは亜鉛のイオンのような金属イオンの存在を必要とする他の酵素の有効な阻害剤である。酵素はたんぱく質であるので、特定の酵素に対して作られた抗体もまた有効な酵素阻害剤である。
【０１４７】
本明細書で記載される吸収製品において有用な酵素阻害剤は、典型的には、約５００μＭ以下、より典型的には、約２５０μＭ以下、およびさらにより典型的には、約１００μＭ以下のＩＣ50値を有する。本明細書で用いられる、「ＩＣ50」という用語は、５０％まで酵素による基質開裂の速度を減少させる物質（阻害剤）の阻害濃度（例えばマイクロモル濃度、μＭ）を意味する。ＩＣ50は、式ＩＣ50＝［Ｉ］／［（ｖ／ｖi ）−１］により計算され、式中、［Ｉ］は試験される阻害剤濃度であり、ｖは、阻害剤のない状態での基質開裂の速度であり、ｖi は、阻害剤の存在下での基質開裂の速度である。酵素阻害剤のＩＣ50は、１９９８年３月１２日にローらの名義で出願された「酵素阻害剤を含むスキンケア組成物を有する使い捨て吸収製品」という表題の米国特許出願シリアル番号第０９／０４１２６６号において記載されている精製酵素法または糞便酵素法により測定され得る。ある種の酵素阻害剤（例えばＥＤＴＡ）は、より大きなＩＣ50値を有するが、しかし、本明細書で記載される吸収製品においていまだ有用であり得ることが理解されるであろう。分子量が定量されえない材料については、そのような材料は、約５重量パーセント以下のスキンケア組成物中の濃度で少なくとも５０％まで酵素活性を減少させるであろう。
【０１４８】
限定なく、植物、微生物および／または（ヒトを含む）動物起源のいずれか天然産出阻害剤および合成により製造される化学的阻害剤を含むいずれのタイプの酵素阻害剤も着用者の皮膚に移行可能なスキンケア組成物中で用いられ得る。酵素阻害剤は、性質として親水性または疎水性でありえ、したがって、疎水性担体中で水溶性または不溶性であり得る。酵素阻害剤は、好ましくは、約０．００１重量％から約５０重量％、典型的には約０．０１％から約２５％、より典型的には、約０．１％から約１０％、最も典型的には、約０．１％から約５％の濃度でスキンケア組成物中に存在する。様々の酵素阻害剤が用いられるために、それぞれの阻害剤の有効濃度は、当業者に公知のように別々に定量される。
【０１４９】
酵素阻害剤は、単独の吸収製品中で、単独で、または阻害剤の「カクテル」のような酵素阻害剤の混合物として用いられ得る。さらに、異なる酵素阻害剤は、単独の吸収製品中で異なる位置で、スキンケア組成物中に用いられ得る。
【０１５０】
身体滲出物中に存在する酵素の大きな多様性のために、ある種のクラスの酵素（例えば、プロテアーゼ）を阻害する以下に記載されるもののような材料もまた、特定されるもの（例えばたんぱく質とペプチド）以外の基質を開裂させる酵素を阻害しうることが合理的に予測される。したがって、プロテアーゼを阻害する阻害剤はまた、リパーゼおよび他のエステラーゼ、アミラーゼおよび／またはウレアーゼもまた阻害しうるし、逆もまた真である。
【０１５１】
身体滲出物中にきわめて頻繁に見出される酵素および／または補酵素の阻害剤は、スキンケア組成物中で好ましい。したがって、酵素阻害剤は、好ましくは、トリプシン、キモトリプシン、アミノペプチダーゼおよびエラスターゼのようなタンパク質分解酵素、リパーゼ、胆汁塩、アミラーゼおよび／またはウレアーゼの阻害剤である。
【０１５２】
括弧の中に示されるプロテアーゼのタイプを阻害すると思われる、使用のためのプロテアーゼの典型的な適切な阻害剤には、限定されないが、大豆トリプシンインヒビターおよびライマメプロテアーゼインヒビター、コーンプロテアーゼインヒビターなどのような他の植物由来のトリプシンインヒビター、ボーマン−バークインヒビター（セリン，トリプシン様プロテアーゼインヒビター）、ウシ膵臓塩基性トリプシンインヒビターおよび他の動物由来の膵臓トリプシンインヒビターのような膵臓トリプシンインヒビター、卵白トリプシンインヒビター（セリン，トリプシン様プロテアーゼインヒビター）、ニワトリまたはシチメンチョウ卵白由来のようなオボインヒビターを含むオボムコイド（トリプシンおよびキモトリプシンインヒビター）、キモスタチン（セリン，キモトリプシン様プロテアーゼインヒビター）、アプロチニン（セリンプロテアーゼインヒビター）、ロイペプチンとプロピオニル−ロイペプチンのようなその類似体、Ｎ−α−ｔ−ＢＯＣ−デアセチルロイペプチン（セリンおよびシステインプロテアーゼインヒビター）、ベスタチンおよびエピベスタチンおよびニトロベスタチンのようなその類似体（アミノペプチダーゼメタロプロテアーゼインヒビター）、アマスタチンおよびエピアマスタチンのようなその類似体（アミノペプチダーゼインヒビター）、アンチパイン（トリプシンインヒビター）、アンチトロンビンＩＩＩ（セリンプロテアーゼインヒビター）、ヒルジン（トロンビン様セリンプロテアーゼインヒビター）、シスタチン（卵白システインプロテアーゼインヒビター）、Ｅ−６４（トランス−エポキシスクシニル−Ｌ−ロイシルアミド−（４−グアニジノ）−ブタン）およびその類似体（システインプロテアーゼインヒビター）、α2 −マクログロブリン（汎用エンドプロテアーゼインヒビター）、α1 −アンチトリプシン（トリプシンインヒビター）、ペプスタチンおよびアセチルペプスタチン、ペプスタチンＡ、Ｎｌｅ−Ｓｔａ−Ａｌａ−Ｓｔａのようなその類似体（アスパルチルプロテアーゼインヒビター）、アプスタチン（アミノペプチダーゼＰインヒビター）、（２Ｒ）−２−メルカプトメチル−４−メチルペンタノイル−ｂ−（２−ナフチル）−Ａｌａ−Ａｌａアミド（細胞質メタロプロテアーゼインヒビター）、（２Ｒ）−２−メルカプトメチル−４−メチルペンタノイル−Ｐｈｅ−Ａｌａアミド（細胞質メタロプロテアーゼインヒビター）、Ｎ−アセチル−Ｌｅｕ−Ｌｅｕ−メチオニナル（カルパインインヒビター）、Ｎ−アセチル−Ｌｅｕ−Ｌｅｕ−ノルロイシナル（カルパインインヒビター）、ｐ−アミノベンゾイル−Ｇｌｙ−Ｐｒｏ−Ｄ−Ｌｅｕ−Ｄ−Ａｌａヒドロキサム酸（細胞質メタロプロテアーゼインヒビター）、２（Ｒ）−［Ｎ−（４−メトキシフェニルスルホニル）−Ｎ−（３−ピリジルメチル）アミノ］−３−メチルブタノ−ヒドロキサム酸（メタロプロテアーゼインヒビター）、Ｌ−１−クロロ−３−［４−トシルアミド］−７−アミノ−２−ヘプタノン−ＨＣｌ（ＴＬＣＫ）、Ｌ−１−クロロ−３−［４−トシルアミド］−４−フェニル−２−ブタノン（ＴＰＣＫ）、トラネキサム酸、グリシジック酸（ｇｌｙｃｙｒｒｈｉｚｉｃ  ａｃｉｄ）、１８−β���グリシレティン（ｇｌｙｃｙｒｒｈｅｔｉｎｉｃ）酸、コロイド状麦芽抽出物、エルヒビン、亜鉛の塩、ヨード酢酸、フェニルメチルスルホニルフルオライド、ホスホラミドン、４−（２−アミノエチル）−ベンゼンスルホニルフルオライドＨＣｌ、３，４−ジクロロイソ−クマリン、カーセチンなどおよびそれらの混合物が含まれる。
【０１５３】
キレート剤もまた、約０．１％から約２％の濃度でプロテアーゼとウレアーゼの両方の阻害剤として有用であることが見出されている。典型的なキレート剤は、１９９２年２月２５日にエンジョルラスに発行された米国特許第５，０９１，１９３号において開示される、フィチン酸、ニトリロ三酢酸、ＥＤＴＡ、ジエチレントリアミノ五酢酸、ヒドロキシエチルエチレンジアミン三酢酸、および対応する酸塩であり、その開示は参照により本明細書に組み込まれる。
【０１５４】
プロテアーゼインヒビターの中で好ましいものは、単一のクラスのプロテアーゼに限定される必要のない阻害活性を示す化合物である。そのような化合物には、限定されないが、１９９４年１２月２７日にイマキらに発行された米国特許第５，３７６，６５５号において開示されているもののような、ヘキサミジンおよびその塩、ペンタミジンおよびその塩、ベンザミジン、ｐ−アミノベンザミジンおよびそれらの誘導体、およびグアニジノ安息香酸およびその誘導体が含まれ、その開示は、参照により本明細書に組み込まれる。他の好ましいプロテアーゼインヒビターには、１９９８年３月１２日にマックルバーらの名義で出願された「酵素阻害剤」という表題の米国特許出願シリアル番号第０９／０４１１９６号において開示され、作られるグアニジノ安息香酸のポリマー誘導体が含まれ、その開示は、参照により本明細書に組み込まれる。
【０１５５】
実施上好ましいプロテアーゼインヒビターは、大豆トリプシンインヒビター、アプロチニン、ヘキサミジン（例えば、ヘキサミジンジイセチオネート）、ｐ−アミノベンザミジン、ロイペプチン、ペプスタチンＡ、キモスタチンおよび（上記参照により組み込まれる「酵素阻害剤」という表題の米国特許出願シリアル番号第０９／０４１１９６号において開示され、作られる）グアニジノ安息香酸のポリマー誘導体である。特に好ましいプロテアーゼインヒビターは、大豆トリプシンインヒビター、ヘキサミジン、ｐ−アミノベンザミジンおよび前述のグアニジノ安息香酸のポリマー誘導体である。
【０１５６】
ウレアーゼは、銀、銅などのイオンのような痕跡量の重金属イオンの存在下で阻害されることが知られている。したがって、（０．００１％以下ほどの）痕跡量のそれらの金属の塩がウレアーゼインヒビターとして有用である。ウレアーゼ活性の他の典型的な阻害剤には、限定されないが、アセチルヒドロキサム酸、およびシンナモイルヒドロキサム酸および他のアルキルヒドロキサム酸のようなその誘導体、ホスホラミデートおよびその誘導体が含まれる。そのような化合物は、約２マイクロモル（μＭ）の濃度でウレアーゼの競合阻害剤である。キレート剤もまた、約０．１％から約２％の濃度でプロテアーゼとウレアーゼの両方の阻害剤として有用であることが見出されている。典型的なキレート剤は、上記参照により組み込まれる米国特許第５，０９１，１９３号において開示されるフィチン酸、ニトリロ三酢酸、エチレンジアミン四酢酸（ＥＤＴＡ）、ジエチレントリアミノ五酢酸、ヒドロキシエチルエチレンジアミン三酢酸、および対応する酸塩である。他のウレアーゼ阻害化合物は、１９７６年２月３日にクラスキンに発行された米国特許第３，９３５，８６２号において開示され、その開示は参照により本明細書に組み込まれ、そして、ヒドロキシアルキルアミノ酸、スルフヒドリルアミノ酸、アミノスルホン酸、アミノホスホン酸化合物のようなアミノ酸化合物、およびメトキシエチルイミノ二酢酸、エチレン−ビス−（オキシプロピルアミノ二酢酸）、エチレン−ビス−（オキシエチルイミノ二酢酸）、アミノ−メチルホスホン酸（Ｎ，Ｎ−二酢酸）などのようなエーテルアミノ酸およびジエチレントリアミン五酢酸（ＤＴＰＡ）の酸および塩、Ｎ−ヒドロキシ−エチルエチレンジアミン三酢酸（ＨＥＤＴＡ）などを含むアミノポリカルボン酸化合物を含む。
【０１５７】
ウレアーゼの他の適切な阻害剤は、１９９５年４月２５日にポラックらに発行された米国特許第５，４０９，９０３号において開示され、その開示は参照により本明細書に組み込まれる。この特許は、ウレアーゼの阻害のために、単独でまたは互いに組み合わせてまたは酢酸カルシウム、塩化カルシウム、グルコン酸カルシウム、および乳酸カルシウムのようなカルシウム化合物ならびに塩化マグネシウム、クエン酸マグネシウムのようなマグネシウム化合物とともに二塩基性リン酸マグネシウム、ジアルデヒドポリサッカライドおよびゼオライトを開示する。
【０１５８】
適切なリパーゼ阻害剤には、限定されないが、カドミウム、コバルト、銅、鉄、モリブデン、銀、ランタン、スズ、および亜鉛のような金属の水溶性塩が含まれる。典型的なリパーゼ阻害化合物は、参照により本明細書に組み込まれる米国特許第４，５５６，５６０号において開示され、塩化亜鉛、酢酸亜鉛、硝酸亜鉛三水和物、硝酸亜鉛六水和物、硫酸亜鉛、硫酸亜鉛七水和物、硫酸亜鉛六水和物、塩化鉄（ＩＩ）、塩化鉄（ＩＩ）四水和物、塩化鉄（ＩＩＩ）、塩化鉄（ＩＩＩ）一水和物、塩化鉄（ＩＩＩ）六水和物、乳酸鉄（ＩＩ）、乳酸鉄（ＩＩＩ）、マレイン酸鉄（ＩＩＩ）、硝酸鉄（ＩＩ）、硝酸鉄（ＩＩＩ）六水和物、硝酸鉄（ＩＩＩ）九水和物、硫酸鉄（ＩＩ）およびその水和物、硫酸鉄（ＩＩＩ）およびその水和物、硫酸銅五水和物、塩化スズ、塩化コバルトおよび塩化ランタン、約６から約１２炭素原子を有する飽和および不飽和の両方のモノカルボン酸の亜鉛塩、プロピレンオキサイドおよびエチレンオキサイドのブロックコポリマー（例えば、ＢＡＳＦ  Ｃｏｒｐ．によりプルロニック（登録商標）およびテトロニック（登録商標）として販売されている）、トリアセチンのような約２個から約２０個の炭素を有する脂肪酸のグリセロールトリエステルなどが含まれる。他の有用なリパーゼ阻害剤は、参照により本明細書に組み込まれる米国特許第５，０９１，１９３号において開示され、１０から２０個の炭素原子を含む飽和または不飽和、直鎖または分岐鎖アルキルアセテート、ラクテート、またはプロピオネートのような脂肪アルコールのエステル、プロピオン酸、イソブチル酸、カプロン酸、ウンデシレン酸などで形成されるもののような２から２２個の炭素原子の脂肪酸の飽和または不飽和、直鎖または分岐鎖亜鉛塩、プロピオニルシスティン、プロピオニルヒドロキシプロリン、またはカプロイルシスティンなどのようなアミノ化アシル化酸の亜鉛塩を含む。前述のようなリパーゼ阻害剤は、約０．０１％から約１０％の濃度で有用であることが見出されている。
【０１５９】
その開示が参照により本明細書に組み込まれる１９９７年１１月２６日にパランボらの名義で出願された「皮膚のかぶれを防止する組成物」という表題の欧州特許出願シリアル番号９７１２０６９９．０において開示されるさらに他の有用なリパーゼ阻害剤には、便のリパーゼのための置換基質として機能する特定のエステル化合物が含まれ、それにより競合リパーゼ阻害剤である。それらのエステルは、式
【化６】
0004762470.tif 000008
または
【化７】
0004762470.tif 000009
（式中、Ｒ1 およびＲ2 はそれぞれ独立に、２から２２個の炭素原子を有するアシル基、または１から２４個の炭素原子を有するアルキル、アルケニル、アリールアルキル、ヒドロキシアルキル基、または水素であり、その場合、Ｒ1 とＲ2 の少なくとも一方はそのようなアシル基であり、Ｒ3 、Ｒ4 、Ｒ5 、Ｒ6 、Ｒ7 、Ｒ8 およびＲ9 は独立に、１から２４個の炭素原子のアルキル、アルケニル、アリールアルキル、ヒドロキシアルキル、アルコキシ基、ヒドロキシ基または水素であり、Ｒ10およびＲ11は独立に、２から２４個の炭素原子のアルキル、アルケニル、アリールアルキル、ヒドロキシアルキル、アルコキシ基、ヒドロキシ基または水素であり、ＡおよびＢは、独立に、Ｃ1 〜Ｃ6 直鎖または分岐鎖アルキレン、アルケニレン、アルコキシレン、ヒドロキシアルキレン基であり、ｘの値は、独立に、０から１５であり、ｙの値は、独立に０または１であり、ｘ＝２およびｙ＝０という条件で、少なくとも１つのＲ2 は、１から２４炭素原子を有するアルキル、アルケニル、アリールアルキル、ヒドロキシアルキル基または水素である）を有する。
【０１６０】
リパーゼ阻害剤の更なる例は、参照により本明細書に組み込まれる米国特許第５，６４３，８７４号において開示されるものであり、それには、テトラヒドロリプスタチンとしてもまた知られる（２Ｓ，３Ｓ，５Ｓ）−５−［（Ｓ）−２−ホルムアミド−４−メチル−バレリルオキシ］−２−ヘキシル−３−ヒドロキシ−ヘキサデカノイック１，３酸ラクトン、リプスタチンとしてもまた知られる（２Ｓ，３Ｓ，５Ｓ，７Ｚ，１０Ｚ）−５−［（Ｓ）−２−ホルムアミド−４−メチル−バレリルオキシ］−２−ヘキシル−３−ヒドロキシ−７，１０−ヘキサデカジエノイック１，３酸ラクトン、ＦＬ−３８６としてもまた知られる１−（トランス−４−イソブチルシクロヘキシル）−２−（フェニルスルホニルオキシ）エタノン、ＷＡＹ−１２１８９８としてもまた知られる４−メチルピペリジン−１−カルボキシル酸４−フェノキシフェニルエステル、ＢＡＹ−Ｎ−３１７６としてもまた知られるＮ−［３−クロロ−４−（トリフルオロメチル）フェニル−］Ｎ’−［３−（トリフルオロメチル）−フェニル］ウレア、バリラクトンとしてもまた知られるＮ−ホルミル−Ｌ−バリン−（Ｓ）−１−［［（２Ｓ，３Ｓ）−３−ヘキシル−４−オキソ−２−オキセタニル］メチル］ヘキシルエステル、エステラスチンとしてもまた知られる（２Ｓ，３Ｓ，５Ｓ，７Ｚ，１０Ｚ）−５−［（Ｓ）−２−アセタミド−３−カルバモイルプロピオニルオキシ］−２−ヘキシル−３−ヒドロキシ−７，１０−ヘキサデカジエノイックラクトン、エベラクトンＡとしてもまた知られる（３Ｓ，４Ｓ）−４−［（１Ｓ，５Ｒ，７Ｓ，８Ｒ，９Ｒ，Ｅ）−８−ヒドロキシ１，３，５，７，９−ペンタメチル−６−オキソ−３−ウンデセニル］−３−メチル−２−オキセタノン、エベラクトンＢとしてもまた知られる（３Ｓ，４Ｓ）−３−エチル−４−［（１Ｓ，５Ｒ，７Ｓ，８Ｒ，９Ｒ，Ｅ）−８−ヒドロキシ−１，３，５，７，９−ペンタメチル−６−オキソ−３−ウンデセニル］−２−オキセタノン、およびＲＨＣ８０２６７としてもまた知られる１，６−ジ（Ｏ−（カルバモイル）シクロヘキサノンオキシム）ヘキサンが含まれる。
【０１６１】
脂肪分解酵素のための補酵素であり、吸収製品においてリパーゼ酵素阻害剤として有用である胆汁塩の典型的な阻害剤には、限定されないが、その開示が参照により本明細書に組み込まれる、１９９７年１１月２６日にパランボらの名義で出願された「スキンケア組成物」という表題の欧州特許出願シリアル番号第９７１２０７００．６号において開示されるカチオン性化合物が含まれる。そのような化合物は式、
【化８】
0004762470.tif 000010
または
【化９】
0004762470.tif 000011
または両性化合物、好ましくは酸性度原因（ａｃｉｄｉｔｙ  ｓｏｕｒｃｅ）を有し、両性化合物はその等電点で外皮の脂肪分解皮膚炎の治療、防止または減少のための組成物の調製のために式
【化１０】
0004762470.tif 000012
を有し、式中、Ｒ1 、Ｒ2 、Ｒ3 およびＲ4 は独立に、Ｃ1 〜Ｃ22アルキル、アルケニル、アリール、アリールアルキル、アミドアルキル、（ポリ）アルコキシ、ヒドロキシアルキル、またはアシル基であり、またはＲ1 、Ｒ2 、Ｒ3 およびＲ4 の２以上の基はたがいに１以上の環構造を形成し、Ｒ5 、Ｒ6 およびＡは独立に、Ｃ1 〜Ｃ22アルキレン、アルケニレン、（ポリ）アルコキシレン、ヒドロキシアルキレン、アリールアルキレンまたはアミドアルキレン基であり、Ｒ7 およびＲ8 は独立に、Ｃ1 〜Ｃ4 アルキル、アルケニル、アルコキシ基、またはヒドロキシ基または水素であり、Ｒ9 およびＲ10は独立に、Ｃ1 〜Ｃ22アルキル、アルケニル、アリール、アリールアルキル、アミドアルキル、（ポリ）アルコキシ、ヒドロキシアルキルまたはアシル基であり、または、２以上の基Ｒ1 、Ｒ9 およびＲ10は互いに１以上の環構造を形成し、ＢＨはプロトン供与基であり、ｘは２から４であり、Ｍ- は対イオンである。
【０１６２】
もう１つの典型的な適切な胆汁塩阻害剤は、１９９６年９月発刊ザ・アナルズ・オブ・ファーマコセラピー第３０号９５４〜９５６ページの「幼児のでん部のかぶれおよび肛門の擦過を治療するためのコレスチラミン軟膏」という表題のＣ．マイケル・ホワイトらによる刊行物において記載されているコレスチラミンである。
【０１６３】
ｐ−グアニジノ安息香酸の誘導体、特にｐ−グアニジノ安息香酸のエステルは、エステラーゼの阻害剤として記述されてきた。そのような阻害剤は、吸収製品のスキンケア組成物として有用であり、１９９４年１２月２７日にイマキらに発行された米国特許第５，３７６，６５５号において開示され、その開示は、参照により本明細書に組み込まれる。
【０１６４】
適切なアミラーゼインヒビターおよび／またはグルコシダーゼアミラーゼインヒビターには、参照により本明細書に含まれる米国特許第５，６４３，８７４号において開示されるものが含まれ、アカルボースとしてもまた知られる、Ｏ−４，６−ジデオキシ−４−［［［１Ｓ−（１α，４α，５β，６α）］−４，５，６−トリヒドロキシ−３−（ヒドロキシメチル）−２−シクロヘキセン−１−イル］アミノ］−α−Ｄ−グルコピラノシル−（１→４）Ｏ−α−Ｄ−グルコピラノシル−（１→４）−Ｄ−グルコース、ボグリボースとしてもまた知られる２（Ｓ），３（Ｒ），４（Ｓ），５（Ｓ）−テトラヒドロキシ−Ｎ−［２−ヒドロキシ−１−（ヒドロキシメチル）−エチル］−５−（ヒドロキシメチル）−１（Ｓ）−シクロヘキサミン、ミグリトールとしてもまた知られる１，５−ジデオキシ−１，５−［（２−ヒドロキシエチル）イミノ］−Ｄ−グルシトール、エミグリテートとしてもまた知られる、１，５−ジデオキシ−１，５−［２−（４−エトキシカルボニルフェノキシ）−エチルイミノ］−Ｄ−グルシトール、ＭＤＬ−２５６３７としてもまた知られる２，６−ジデオキシ−２，６−イミノ−７−（β−Ｄ−グルコピラノシル）−Ｄ−グリセロ−Ｌ−グロヘプチトール、カミグリボースとしてもまた知られる１，５−ジデオキシ−１，５−（６−デオキシ−１−Ｏ−メチル−α−Ｄ−グルコピラノス−６−イリミノ）−Ｄ−グルシトール、プラジミシンＱとしてもまた知られ、アジポシンとしてもまた知られる、１，５，９，１１，１４−ペンタヒドロキシ−３−メチル−８，１３−ジオキソ−５，６，８，１３−テトラヒドロベンゾ［ａ］−ナフタセン−２−カルボン酸、およびサルボスタチンとしてもまた知られる１，２−ジデオキシ−２−［２（Ｓ），３（Ｓ），４（Ｒ）−トリヒドロキシ−５−（ヒドロキシメチル）−５−シクロヘキセン−１（Ｓ）−イラミノ］−Ｌ−グルコピラノースがふくまれる。他の適切なアミラーゼ阻害剤には、テンダミスタット、トレスタチン、および植物、特に小麦、米、トウモロコシ、大麦および他の穀類、豆類、および海産植物に由来するものが含まれる。
【０１６５】
酵素阻害剤のそれらのおよび他の特徴は、１９９８年３月１２日にルークらの名義で出願された「吸収製品の中のプロテアーゼ阻害剤」という表題の米国特許出願シリアル番号第０９／０４１２３２号および１９９８年３月１２日にローらの名義で出願された「酵素阻害剤を含むスキンケア組成物を有する使い捨て吸収製品」という表題の米国特許出願シリアル番号第０９／０４１２６６号において開示され、それらの両方は、参照により本明細書に組み込まれる。
【０１６６】
スキンケア活性成分は、可溶性または不溶性である。不溶性スキンケア活性成分は、スキンケア組成物の均質混合物を形成するように分散剤とともにスキンケア組成物中に分散し得る。不溶性スキンケア活性成分は、分散剤とともに予備分散溶媒中に予備分散することが好ましい。予備分散溶媒は、石油系、脂肪酸エステル、アルキルエトキシレート、脂肪酸エステルエトキシレート、脂肪アルコール、ポリシロキサン、またはそれらの混合物であり得る。さらに、予備分散溶媒は、可溶性スキンケア活性成分であり得る。典型的な好ましい分散剤は、ジエタノールアミンポリオキシエチレンオレイルエーテルフォスフェート、ポリヒドロキシステアリン酸、ポリグリセリル−６ポリリシノレート、ネオペンチルグリコールジイソステアレート、プロピレングリコールジカプレート、またはそれらの混合物である。他の可能な分散剤は、イソエルコサンとポリイソブテンとクォーターニウム１８、フェニルトリメチコーンとクォーターニウム−１８ヘクトライトとトリエチルシトレート、イソヘキサデカンとクォーターニウム−１８ヘクトライトとプロピレンカーボネート、オクチルドデカノールとクォーターニウム−１８ヘクトライトとプロピレンカーボネート、鉱油とクォーターニウム−１８ヘクトライトとプロピレンカーボネート、イソプロピルミリステートとステアラルコニウムヘクトライトとプロピレンカーボネート、シクロメチコーンとクォーターニウム１８とＳＤＡ４０、ラノリンオイルとイソプロピルパルミテートとステアラルコニウムヘクトライトとプロピレンカーボネートとプロピルパラベン、１−エイコサノール、またはそれらの混合物である。
【０１６７】
４．他の任意成分
スキンケア組成物は他の任意成分を含み得る。それらの任意成分には、水、親水性界面活性剤、粘度改良剤、香料、フィルムフォーマー、消臭剤、乳白剤、溶剤などが含まれる。セルロース誘導体、たんぱく質、およびレシチンのような安定化剤が、スキンケア組成物の製品寿命を高めるために加えられ得る。親水性界面活性剤は、トップシートから製品の吸収性内層に流体（例えば、尿、経血など）の急速な移行を促進するために加えられ得る。そのような親水性界面活性剤の詳細は、例えば、１９９７年７月１日にロー、ベークス＆ワーナーに発行された「ローションを付されたトップシートを有するおむつ」という米国特許第５，６４３，５８８号において開示され、それは、参照により本明細書に組み込まれる。
【０１６８】
Ｃ．スキンケア組成物による身体接触表面の処理
スキンケア組成物で処理された製品を製造する上で、スキンケア組成物は、吸収製品の身体に面する表面の少なくとも一部に付与される。粘性材料を均等に分布させる様々の適用方法のいずれもが用いられ得る。適切な方法には、印刷、スプレー、コーティング、ブラシがけ、押し出しまたはそれらの付与技術の組み合わせが含まれる。
【０１６９】
製品の身体接触表面上に付与されるスキンケア組成物の最小レベルは、着用者に皮膚効果を提供するために有効な量である。付与されるスキンケア組成物のレベルは、スキンケア組成物で処理されていない身体接触表面の表面積の相対量、スキンケア組成物の予測される皮膚効果などを含む様々の要因に依存するであろう。スキンケア組成物の量はまた、身体接触表面に渡って変化し得る。例えば、スキンケア組成物を有さない表面の部分を含む身体接触表面の一部は、身体接触表面の他の部分よりより多くのまたはより少ない量のスキンケア組成物を有しうる。
【０１７０】
スキンケア組成物は、身体接触表面の全表面にまたは身体接触表面の部分に選択的に適用され得る。例えば、もしスキンケア組成物が吸収製品のトップシートに付与されるならば、吸収製品のトップシート上にスキンケア組成物を付与する方法は、好ましくは、スキンケア組成物が主にトップシートの身体に面する部分上に分布するようになる。しかしながら、もしスキンケア組成物が相対的に疎水性であるならば、スキンケア組成物は、（トップシートの開孔のような）流体経路に分布せず、下にある吸収性コアに流体を伝達させるためにトップシートの能力を確保するように流体経路を遮断しないことが好ましい。コーティングのパターンの例には、ストライプ、ドット、サークルなどが含まれる。
【０１７１】
スキンケア組成物は、組み立ての間、いずれの時点でも身体接触表面に付与され得る。例えば、スキンケア組成物は、包装される前に、最終吸収製品の身体接触表面に付与され得る。スキンケア組成物は、また、最終吸収製品を形成する他の原材料と組み合わせられる前に身体接触表面に付与され得る。
【０１７２】
スキンケア組成物は、典型的には、その溶融物から製品に付与される。スキンケア組成物は、周囲温度よりはるかに高い温度で溶融するので、通常、製品の身体接触表面に加熱されたコーティングとして付与される。温度は、主に、スキンケア組成物の融点および製品の製造プロセスにおける温度の低下のような他の要因を考慮して決定される。そして、スキンケア組成物は、製品に付与される前にしばしば、５０℃から１００℃、よりしばしば６０℃から９０℃の範囲の温度に加熱される。一旦溶融したスキンケア組成物が製品に付与されるならば、身体接触表面の表面上に固形化したコーティングまたはフィルムを形成するように冷却および固形化させられる。好ましくは、付与プロセスは、スキンケア組成物の冷却／設置（ｓｅｔ  ｕｐ）を補助するように設計される。身体接触表面にスキンケア組成物を付与する例は、例えば、１９９７年７月１日にロー、ベークス＆ワーナーに発行された「ローションを付されたトップシートを有するおむつ」という米国特許第５，６４３，５８８号において記載され、それは、参照により本明細書に組み込まれている。
【０１７３】
Ｄ．バリアシート
バリアシートは、好ましくは、バリアシートを通過するスキンケア組成物の移行を減少させるように処理される。バリアシートは、ベースシートを含み得る。ベースシートは、紙またはフィルムのようないずれの材料でもあり得る。ベースシートは、フルオロケミカル、親水性ポリマー、無機粒子またはそれらの混合物からなる群より選択される成分を含む組成物で処理され得る。
【０１７４】
フルオロケミカルは、ポリテトラフルオロエチレン、ポリフッ化エチレンプロピレン、ポリフルオロアルキルアクリレート、ポリペルフルオロアルコキシ、ポリヘキサフルオロプロピレン、ポリヘキサフルオロイソブチレン、ポリクロロトリフルオロエチレン、ポリフッ化ビニリデン、ポリフッ化ビニル、フルオロアルキル塩、エチレンのコポリマー、プロピレンのコポリマーまたはそれらの混合物からなる群より選択され得る。フルオロケミカルは、水、アルコールのような有機溶媒、またはそれらの混合物の溶液または分散液の形態で、または溶融した樹脂の形態で、バリアシートのベースシートに付与され得る。もしフルオロケミカルが溶液または分散液の形態でベースシートに付与されるならば、例えば、（ａ）溶液または分散液にベースシートを浸漬し、次いで乾燥する、（ｂ）ベースシート上に溶液または分散液をスプレーし、次いで乾燥する、または（ｃ）印刷またはブラシもしくはローラーによる塗装によりベースシートをコーティングし、ついで乾燥することにより付与され得る。もしフルオロケミカルが溶融樹脂の形態でベースシートに付与されるならば、それは、押し出し積層により付与され得る。好ましいフルオロケミカルはフルオロアルキル塩であり、最も好ましいフルオロケミカルは、水中に溶解したフルオロアルキルアンモニウム塩である。これは、ベルギーのズビジンドレヒト、Ｂ−２０７０、カナダストラート１１、ハーベン１００５の３ＭによるスコッチバンＦＣ−８０７Ａの商品名の下で入手可能である。
【０１７５】
親水性ポリマーは、ポリビニルアルコール、ポリエチレンビニルアルコール、ポリ酢酸ビニル、ポリエチレン酢酸ビニル、ポリアクリレート、ポリエチレンアクリレート、ポリメタクリレート、ポリエチレンメタクリレート、ポリエステル、ポリエーテル、ポリイミド、ポリアミド、またはそれらの混合物からなる群より選択され得る。親水性ポリマーは、水、アルコールのような有機溶媒、またはそれらの混合物の溶液または分散液の形態でバリアシートのベースシートに付与され得る。もし親水性ポリマーが溶液または分散液の形態でベースシートに付与されるならば、例えば、（ａ）溶液または分散液でベースシートを浸漬し、次いで乾燥する、（ｂ）ベースシート上に溶液または分散液をスプレーし、次いで乾燥する、または（ｃ）印刷またはブラシもしくはローラーによる塗装によりベースシートを被覆し、ついで、乾燥することにより付与され得る。もし親水性ポリマーが溶融樹脂の形態でベースシートに付与されるならば、それは押し出し積層により付与され得る。好ましい親水性ポリマーは、ポリエチレン酢酸ビニルである。これは、デラウエア州（１９８９８）ウイルミントンのマーケット・ストリート１００７のデュポンによりＥＬＶＡＸの商品名の下で入手可能である。
【０１７６】
無機粒子は、カオリンクレー、ベントナイトクレー、モンモリロナイトクレー、ヘクトライトクレー、タルク、シリカ、ヒュームドシリカ、またはそれらの混合物からなる群より選択され得る。それらは一部のバインダーによりベースペーパーに付与され得る。バインダーは、ポリビニルアルコール、ポリエチレンビニルアルコール、ポリ酢酸ビニル、ポリエチレン酢酸ビニル、ポリアクリレート、ポリエチレンアクリレート、デンプン、トラガカントガム、グアーガム、アラビアガム、カラヤガム、デキストリン、天然樹脂、（イソプレンゴム、ブタジエンゴム、ネオプレンゴム、スチレンゴム、スチレンイソプレンゴム、スチレンブタジエンゴムのような）熱可塑性ゴム系接着剤、またはそれらの混合物からなる群より選択され得る。
【０１７７】
もしバインダーが熱可塑性ゴム系接着剤であるならば、無機粒子は、例えばスーパーカレンダリングによりベースシートに付与されうる。もしバインダーが水溶性であるならば、無機粒子は、例えば、ブラシまたはローラーにより、ベースシート上に無機粒子、バインダー、および少量（２０％まで）の水で構成されたスラリーを印刷または塗装することによりベースシートに付与し得る。
【０１７８】
上記無機粒子の中で好ましい成分は、カオリンクレー、ベントナイトクレー、モンモリロナイトクレー、ヘクトライトクレーまたはそれらの混合物である。最も好ましい成分は、バインダーとしての熱可塑性ゴム系接着剤とともに、カオリンクレー、ベントナイトクレー、モンモリロナイトクレー、ヘクトライトクレーまたはそれらの混合物である。
【０１７９】
バリアシートはリリース性に処理され得る。好ましくは、バリアシートが接着剤を覆うために用いられるとき、バリアシートの少なくとも１表面はリリース性に処理される。この目的のために、バリアシートは、シリコーン、広範なフルオロポリマー、またはそれらの混合物からなる群より選択される成分を含む組成物で処理され得る。
【０１８０】
本発明による吸収製品の具体的な例示
以下の例は、本発明の範囲の中の好ましい態様をさらに記述し、例示する。それらの例は単に例示目的のために与えられ、本発明を限定するものと解されるべきではない。というのは、その多くの変形が本発明の精神と範囲から逸脱することなく可能であるからである。
【０１８１】
例１
Ａ．スキンケア組成物の調製
油系スキンケア組成物（スキンケア組成物Ａ）が、以下の溶融成分を互いに混合することにより作られる：名称スーパー・ホワイト・プロトペット（登録商標）の下でウィトコ・Ｃｏｒｐ．により作られたペトロラタム、および名称ラネット２２の下でヘンケルＣｏｒｐ．により作られたベヘニルアルコール。
【０１８２】
スーパー・ホワイト・プロトペット（登録商標）はペトロラタムである。２７から３６のアルキル鎖長を有する重脂肪族炭化水素対１７から２６のアルキル鎖長を有する軽炭化水素の比は、１．３：１．０である。３０から３６のアルキル鎖長を有する重脂肪族炭化水素対２０から２６のアルキル鎖長を有する軽脂肪族炭化水素の比は、１．７：１．０である。３３から３６のアルキル鎖長を有する重脂肪族炭化水素対２３から２６のアルキル鎖長を有する軽脂肪族炭化水素の比は、１．３：１．０である。ラネット２２は、混合された直鎖Ｃ18〜Ｃ24１級アルコールである。ラネット２２は、約７０％のＣ22脂肪アルコール、約２０％のＣ20アルコール、約９％のＣ18アルコールおよび約１％のＣ24脂肪アルコールを含む。それらの成分の重量パーセンテージは、以下の表２に示される。
【０１８３】
【表２】
0004762470.tif 000013
Ｂ．ホットメルト印刷によりスキンケア組成物で処理された製品の製造
スキンケア組成物Ａは、９０℃の温度で作動する加熱されたタンクに配置される。組成物は続いて、（９０℃の温度で作動するメルテックスＥＰ４５ホットメルト接着剤アプリケーターヘッドを用いる）コンタクトアプリケーターによる付与レベル＝４ｇ／ｍ2 でプロクター＆ギャンブル・ファー・イースト，Ｉｎｃ．により製造されるウィスパー・スリム・ウイング・レギュラー・ロングのＤＲＩ−ＷＥＡＶＥトップシート全体に付与される（処理された製品Ａ）。
【０１８４】
Ｃ．バリアシートの製造
バリアシートＡは、４０ｇ／ｍ2 の坪量を有する紙で作られている。紙は、紙を溶液に浸漬し、次いで乾燥させることにより、水溶液の形態の名称スコッチバンＦＣ−８０７Ａの下でミネソタ・マイニング・マニュファクチュアリングにより作られたフルオロアルキルアンモニウム塩により処理される。紙の１表面の全体もまた、表面が接着剤によりリリース性となるようにシリコーンで処理される。
【０１８５】
Ｄ．スキンケア組成物で処理された製品へのバリアシートの付与
処理された製品Ａは、主ラッパーシート、フラップ接着剤カバーおよび中央パッド接着剤カバーを有するラッパーにより包まれる。処理された製品Ａのフラップは、トップシート上に折りたたまれている。フラップ接着剤カバーは、バリアシートＡを含む。フラップ接着剤カバーのリリース性表面がフラップ接着剤に面するようにフラップ接着剤カバーがフラップ接着剤を覆うように付与される。中央パッド接着剤カバーはバリアシートＡを含む。中央パッド接着剤カバーのリリース性表面が中央パッド接着剤に面するように、中央接着剤カバーが中央パッド接着剤を覆うように付与される。主ラッパーシートは、４０μｍの厚さを有する低密度ポリエチレンフィルムで作られている。主ラッパーシート、フラップ接着剤カバー、中央パッド接着剤カバーは図５〜１０において示されているように組み立てられている。
【０１８６】
例２
Ａ．スキンケア組成物の調製
スキンケア組成物Ａは、上記記載の通りに調製される。
【０１８７】
Ｂ．ホットメルト印刷によるスキンケア組成物で処理された製品の製造
処理された製品Ａは、上記記載の通りに製造される。
【０１８８】
Ｃ．バリアシートの製造
バリアシートＢは、３０ｇ／ｍ2 の坪量を有する紙で作られている。紙は、スーパーカレンダリングによりバインダーとして名称Ｈ４０３１の下でフィンドレーにより作られたスチレンブタジエン系接着剤を有する名称２４７４カルサインド・クレーの下でホイッタッカー、クラーク・アンド・ダニエルズにより作られたカオリンクレーにより処理される。紙の１表面の全体もまた、表面が接着剤についてリリース性になるようにシリコーンで処理される。
【０１８９】
Ｄ．スキンケア組成物で処理された製品へのバリアシートの付与
処理された製品Ａは、主ラッパーシート、フラップ接着剤カバー、および中央パッド接着剤カバーを備えるラッパーにより包まれる。処理された製品Ａのフラップはトップシート上に折りたたまれる。フラップ接着剤カバーはバリアシートＢを含む。フラップ接着剤カバーのリリース性表面がフラップ接着剤に面するようにフラップ接着剤カバーがフラップ接着剤を覆うように付与される。中央パッド接着剤カバーはバリアシートＢを備える。中央パッド接着剤カバーのリリース性表面が中央パッド接着剤に面するように、中央パッド接着剤カバーが中央パッド接着剤を覆うように付与される。主ラッパーシートは、４０μｍの厚さを有する低密度ポリエチレンフィルムで作られている。主ラッパーシート、フラップ接着剤カバー、中央パッド接着剤カバーは、図５〜１０で示されるように組み立てられている。
【０１９０】
例３
Ａ．スキンケア組成物の調製
スキンケア組成物Ａは、上記記載の通りに調製される。
【０１９１】
Ｂ．ホットメルト印刷によるスキンケア組成物で処理された製品の製造
処理された製品Ａは、上記記載の通りに製造されている。
【０１９２】
Ｃ．バリアシートの製造
バリアシートＣは、３０ｇ／ｍ2 の坪量を有する紙で作られる。紙は、押し出し積層により名称ＥＬＶＡＸ４０Ｗの下でデュポンにより作られるポリエチレン酢酸ビニルにより処理される。紙の１表面の全体もまた、表面が接着剤についてリリース性となるようにシリコーンにより処理される。
【０１９３】
Ｄ．スキンケア組成物で処理された製品へのバリアシートの付与
処理された製品Ａは、主ラッパーシート、フラップ接着剤カバーおよび中央パッド接着剤カバーを備えるラッパーにより包まれる。処理された製品Ａのフラップは、トップシート上に折りたたまれる。フラップ接着剤カバーはバリアシートＣを備える。フラップ接着剤カバーのリリース性表面がフラップ接着剤に面するように、フラップ接着剤カバーがフラップ接着剤を覆うように付与される。中央パッド接着剤カバーはバリアシートＣを備える。中央パッド接着剤カバーのリリース性表面が中央パッド接着剤に面するように、中央パッド接着剤カバーが中央パッド接着剤を覆うように付与される。主ラッパーシートは、４０μｍの厚さを有する低密度ポリエチレンフィルムで作られている。主ラッパーシート、フラップ接着剤カバー、中央パッド接着剤カバーは、図５〜１０において示されるように組み立てられる。
【０１９４】
例４
Ａ．スキンケア組成物の調製
スキンケア組成物Ａは上記記載の通りに調製される。
【０１９５】
Ｂ．ホットメルト印刷によるスキンケア組成物で処理された製品の製造
処理された製品Ａは上記記載の通りに調製される。
【０１９６】
Ｃ．バリアシートの製造
バリアシートＤは、４０μｍの厚さを有する低密度ポリエチレンフィルムで作られる。フィルムは、押し出し積層により名称ＥＬＶＡＸ４０Ｗの下でデュポンにより作られたポリエチレン酢酸ビニルで処理される。表面が接着剤についてリリース性になるように、フィルムの１表面の一部は、シリコーンにより処理される。フィルムの表面の残りは、リリース性に処理されない。
【０１９７】
Ｄ．スキンケア組成物で処理された製品へのバリアシートの付与
処理された製品Ａは、主ラッパーシート、フラップ接着剤カバー、および中央パッド接着剤カバーを備えるラッパーによりラップされる。処理された製品Ａのフラップは、トップシート上に折りたたまれる。フラップ接着剤カバーは、バリアシートＣを備える。フラップ接着剤カバーのリリース性表面がフラップ接着剤に面するようにフラップ接着剤カバーは、フラップ接着剤を覆うように付与される。主ラッパーシートはバリアシートＤを備える。中央パッド接着剤カバーのリリース性表面が中央パッド接着剤に面するように、主ラッパーシートは、中央パッド接着剤を覆うように付与される。この例において、中央パッド接着剤カバーは、バリアシートＤ上のリリース処理である。主ラッパーシートおよびフラップ接着剤カバーは、図５〜１０において示されるように組み立てられる。フラップ接着剤カバーは、リリース性に処理されていない主ラッパーシートの表面の一部に結合する。
【０１９８】
例５
Ａ．スキンケア組成物の調製
油系スキンケア組成物（スキンケア組成物Ｂ）は、以下の溶融成分を互いに混合することにより作られる：名称プロトペット（登録商標）１Ｓの下でウィトコＣｏｒｐ．により作られるペトロラタム、および名称ラネット２２の下でヘンケルＣｏｒｐ．により作られるベヘニルアルコール。プロトペット（登録商標）１Ｓはペトロラタムである。２７から３６のアルキル鎖長を有する重脂肪族炭化水素対１７から２６のアルキル鎖長を有する軽炭化水素の比は、２．３：１．０である。３０から３６のアルキル鎖長を有する重脂肪族炭化水素対２０から２６のアルキル鎖長を有する軽脂肪族炭化水素の比は、１．７：１．０である。３３から３６のアルキル鎖長を有する重脂肪族炭化水素対２３から２６のアルキル鎖長を有する軽脂肪族炭化水素の比は、１．３：１．０である。ラネット２２は、約７０％のＣ22脂肪アルコール、約２０％のＣ20アルコール、約９％のＣ18アルコール、および約１％のＣ24脂肪アルコールを含む。それらの成分の重量パーセンテージは、以下の表３において示されている。
【０１９９】
【表３】
0004762470.tif 000014
Ｂ．ホットメルト印刷によるスキンケア組成物で処理された製品の製造
スキンケア組成物Ｂは、９０℃の温度で作動する加熱されたタンクに配置される。組成物は続いて、付着レベル＝４ｇ／ｍ2 で３０ｍｍ幅（横方向）で２００ｍｍ長（縦方向）であるストライプの対としてプロクター＆ギャンブル・ファー・イースト，Ｉｎｃ．により製造されたウイスパー・スリム・ウイング・レギュラー・ロングのＤＲＩ−ＷＥＡＶＥトップシート全体に（９０℃の温度で作動するメルテックスＥＰ４５ホットメルト接着剤アプリケーターヘッドを用いる）コンタクトアプリケーターにより付与される（処理された製品Ｂ）。
【０２００】
Ｃ．バリアシートの製造
バリアシートＥは、３０ｇ／ｍ2 の坪量を有する紙で作られている。紙は、スーパーカレンダリングにより、バインダーとして名称Ｈ４０３１の下でフィンドレーにより作られているスチレンブタジエンゴム系接着剤を有する名称ＣＡＢ−Ｏ−Ｓｉｌ（登録商標）ＴＳ−７２０の下でカボットＣｏｒｐ．により作られるヒュームドシリカにより処理される。紙の１表面はまた、表面が接着剤についてリリース性となるようにシリコーンでも処理される。
【０２０１】
Ｄ．スキンケア組成物で処理された製品へのバリアシートの付与
処理された製品Ｂは、主ラッパーシート、フラップ接着剤カバー、および中央パッド接着剤カバーを備えるラッパーにより包まれる。処理された製品Ｂのフラップは、トップシート上に折りたたまれる。フラップ接着剤カバーはバリアシートＥを備える。フラップ接着剤カバーのリリース性表面がフラップ接着剤に面するようにフラップ接着剤カバーは、フラップ接着剤を覆うように付与される。中央パッド接着剤カバーはバリアシートＥを備える。中央パッド接着剤カバーのリリース性表面が中央パッド接着剤に面するように、中央パッド接着剤カバーは中央パッド接着剤を覆うように付与される。主ラッパーシートは、４０μｍの厚さを有する低密度ポリエチレンフィルムでできている。主ラッパーシート、フラップ接着剤カバー、中央パッド接着剤カバーは、図５〜１０において示されるように組み立てられる。
【０２０２】
例６
Ａ．スキンケア組成物の調製
油系スキンケア組成物（スキンケア組成物Ｃ）は、名称ＵＳＰ−１の下でアメリカのジンク・コーポレーションにより作られた酸化亜鉛、および名称ＣＡＢ−Ｏ−Ｓｉｌ（登録商標）ＴＳ−７２０の下でカボットＣｏｒｐ．により作られるヒュームドシリカおよび、以下の溶融した成分、名称スーパー・ホワイト・プロトペット（登録商標）の下でウィトコＣｏｒｐ．により作られたペトロラタムおよび名称ラネット２２の下でヘンケルＣｏｒｐ．により作られたベヘニルアルコールを混合することにより作られる。それらは、９０℃で高速ブレードミキサー（特殊気化ＴＫロボミックス、５０００ｒｐｍで操作する）により混合される。スーパー・ホワイト・プロトペット（登録商標）はペトロラタムである。２７から３６のアルキル鎖長を有する重脂肪族炭化水素対１７から２６のアルキル鎖長を有する軽炭化水素の比は、２．３：１．０である。３０から３６のアルキル鎖長を有する重脂肪族炭化水素対２０から２６のアルキル鎖長を有する軽脂肪族炭化水素の比は、１．７：１．０である。３３から３６のアルキル鎖長を有する重脂肪族炭化水素対２３から２６のアルキル鎖長を有する軽脂肪族炭化水素の比は、１．３：１．０である。ラネット２２は、約７０％のＣ22脂肪アルコール、約２０％のＣ20アルコール、約９％のＣ18アルコール、および約１％のＣ24脂肪アルコールを含む。ＵＳＰ−１は、約０．１〜１．０μｍの平均粒子直径を有する酸化亜鉛である。ＣＡＢ−Ｏ−Ｓｉｌ（登録商標）ＴＳ−７２０は、その表面がポリジメチルシロキサンで処理されているヒュームドシリカである。成分の重量パーセンテージが以下の表４において示される。
【０２０３】
【表４】
0004762470.tif 000015
Ｂ．ホットメルト印刷によるスキンケア組成物で処理された製品の製造
スキンケア組成物Ｃは９０℃の温度で作動する加熱されたタンクに配置される。組成物は、続いて、付着レベル＝４ｇ／ｍ2 でプロクター＆ギャンブル・ファー・イースト，Ｉｎｃ．により製造される（フラップのない）ウイスパー・スリム・レギュラー・ロングのＤＲＩ−ＷＥＡＶＥトップシート全体に（９０℃の温度で作動するメルテックスＥＰ４５ホットメルト接着剤アプリケーターヘッドを用いる）コンタクトアプリケーターにより付与される（処理された製品Ｃ）。
【０２０４】
Ｃ．バリアシートの製造
バリアシートＢおよびＤは上記記載の通りに製造される。
【０２０５】
Ｄ．スキンケア組成物で処理された製品へのバリアシートの付与
処理された製品Ｃは、主ラッパーシートおよびトップシートカバーを備えるラッパーにより包まれる。トップシートカバーはバリアシートＢを備えるトップシートカバーは、スキンケア組成物が付与されるトップシートの部分を覆うように付与される。主ラッパーシートはバリアシートＤを備える。主ラッパーシートは、中央パッド接着剤カバーのリリース性表面が中央パッド接着剤に面するように中央パッド接着剤を覆うように付与される。主ラッパーシートおよびトップシートカバーは、図１１において示されるように組み合わせられ、次いで、図１０において示されるように折りたたまれる。
【０２０６】
例７
Ａ．スキンケア組成物の調製
スキンケア組成物Ｃは上記記載の通りに調製される。
【０２０７】
Ｂ．ホットメルト印刷によるスキンケア組成物で処理された製品の製造
スキンケア組成物Ｃは、９０℃の温度で作動する加熱されたタンクに配置される。組成物は続いて、付着レベル＝４ｇ／ｍ2 でプロクター＆ギャンブル・ファー・イースト，Ｉｎｃ．により製造されるウイスパー・スリム・ウイング・レギュラー・ロングのＤＲＩ−ＷＥＡＶＥトップシート全体に（９０℃の温度で作動するメルテックスＥＰ４５ホットメルト接着剤アプリケーターヘッドを用いる）コンタクトアプリケーターにより付与される（処理された製品Ｄ）。
【０２０８】
Ｃ．バリアシートの製造
バリアシートＢは、上記記載の通りに製造される。
【０２０９】
Ｄ．スキンケア組成物で処理された製品へのバリアシートの付与
処理された製品Ｄは、主ラッパーシート、フラップ接着剤カバー、および中央パッド接着剤カバーを備えるラッパーにより包まれる。処理された製品Ａのフラップはトップシート上で折りたたまれる。フラップ接着剤カバーはバリアシートＢを備える。フラップ接着剤カバーのリリース性表面がフラップ接着剤に面するようにフラップ接着剤カバーはフラップ接着剤を覆うように付与される。中央パッド接着剤カバーは、バリアシートＢを備える。中央パッド接着剤カバーのリリース性表面が中央パッド接着剤と面するように中央パッド接着剤カバーは中央パッド接着剤を覆うように付与される。主ラッパーシートは４０μｍの厚さを有する低密度ポリエチレンフィルムで作られる。メインラッパーシート、フラップ接着剤カバー、中央パッド接着剤カバーは、図５〜１０において示されるように組み合わせられる。
【０２１０】
例８
Ａ．スキンケア組成物の調製
スキンケア組成物Ｃは、上記記載の通りに調製される。
【０２１１】
Ｂ．ホットメルト印刷によるスキンケア組成物で処理された製品の製造
処理された製品Ｄは、上記記載の通りに製造される。
【０２１２】
Ｃ．バリアシートの製造
バリアシートＡは、上記記載の通りに作られる。
【０２１３】
Ｄ．スキンケア組成物で処理された製品へのバリアシートの付与
処理された製品Ｄは、主ラッパーシート、フラップ接着剤カバー、および中央パッド接着剤カバーを備えるラッパーにより包まれる。処理された製品Ａのフラップは、トップシート上に折りたたまれる。フラップ接着剤カバーはバリアシートＡを備える。フラップ接着剤カバーのリリース性表面がフラップ接着剤に面するように、フラップ接着剤カバーがフラップ接着剤を覆うように付与される。中央パッド接着剤カバーはバリアシートＡを備える。中央パッド接着剤カバーのリリース性表面が中央パッド接着剤に面するように、中央パッド接着剤カバーが中央パッド接着剤を覆うように付与される。主ラッパーシートは４０μｍの厚さを有する低密度ポリエチレンフィルムで作られている。主ラッパーシート、フラップ接着剤カバー、中央パッド接着剤カバーは、図５〜１０において示されるように組み合わせられる。
【０２１４】
例９
Ａ．スキンケア組成物の調製
油系スキンケア組成物（スキンケア組成物Ｄ）は、以下の溶融した成分を互いに混合することにより作られる：名称プロトペット（登録商標）１Ｓの下でウィトコＣｏｒｐ．により作られるペトロラタム、名称マルチワックス（登録商標）Ｗ−８３５の下でウィトコＣｏｒｐ．により作られる微小結晶性ワックスおよび名称ＣＯ１８９５の下でプロクター＆ギャンブル・カンパニーにより作られるステアリルアルコール。プロトペット（登録商標）１Ｓはペトロラタムである。２７から３６のアルキル鎖長を有する重脂肪族炭化水素対１７から２６のアルキル鎖長を有する軽炭化水素の比は、２．３：１．０である。３０から３６のアルキル鎖長を有する重脂肪族炭化水素対２０から２６のアルキル鎖長を有する軽脂肪族炭化水素の比は、１．７：１．０である。３３から３６のアルキル鎖長を有する重脂肪族炭化水素対２３から２６のアルキル鎖長を有する軽脂肪族炭化水素の比は、１．３：１．０である。マルチワックス（登録商標）Ｗ−８３５は、２５℃でＡＳＴＭ  Ｄ−１３２１の下で測定して６０から８０のコンシステンシーを有する微小結晶性ワックスである。ＣＯ１８９５は、直鎖Ｃ18１級アルコールである。それらの成分の重量パーセンテージは、以下の表５において示されている。
【０２１５】
【表５】
0004762470.tif 000016
Ｂ．ホットメルトスプレーによるスキンケア組成物で処理された製品の製造
スキンケア組成物Ｄは、９０℃の温度で作動する加熱されたタンクに配置される。組成物は続いて、付着レベル＝４ｇ／ｍ2 でプロクター＆ギャンブル・ファー・イースト，Ｉｎｃ．により製造されるウィスパー・スリム・ウイング・レギュラー・ロングのＤＲＩ−ＷＥＡＶＥトップシート上に（９０℃の温度および１６ｋＰａの噴霧圧で作動するダイナテックＥ８４Ｂ１７５８スプレーヘッドを用いて）スプレーされる（処理された製品Ｅ）。
【０２１６】
Ｃ．バリアシートの製造
バリアシートＦは３０ｇ／ｍ2 の坪量を有する紙で作られている。紙は、ローラーによる塗装により、バインダーとしての名称エルバノール５１−０５の下でデュポンにより作られるポリビニルアルコールを有する名称２４７４カルサインド・クレーの下でホイッタッカー，クラーク・アンド・ダニエルズにより作られるカオリンクレーにより処理される。紙の１表面はまた、表面が接着剤について剥離性となるようにシリコーンでも処理される。
【０２１７】
Ｄ．スキンケア組成物で処理された製品へのバリアシートの付与
処理された製品Ｅは、主ラッパーシート、フラップ接着剤カバーおよび中央パッド接着剤カバーを備えるラッパーにより包まれる。処理された製品Ｄのフラップは、トップシート上に折りたたまれる。フラップ接着剤カバーは、バリアシートＦを備える。フラップ接着剤カバーの剥離性表面がフラップ接着剤に面するようにフラップ接着剤カバーはフラップ接着剤を覆うように付与される。中央パッド接着剤カバーはバリアシートＦを備える。中央パッド接着剤カバーの剥離性表面が中央パッド接着剤に面するように中央パッド接着剤カバーが中央パッド接着剤を覆うように付与される。主ラッパーシートは、４０μｍの厚さを有する低密度ポリエチレンフィルムで作られている。主ラッパーシート、フラップ接着剤カバー、中央パッド接着剤カバーは、図５〜１０において示されるように組み合わせられる。
【０２１８】
例１０
Ａ．スキンケア組成物の調製
スキンケア組成物Ｄは上記記載の通りに調製される。
【０２１９】
Ｂ．ホットメルト印刷によるスキンケア組成物で処理された製品の製造
処理された製品Ｅは上記記載の通りに製造される。
【０２２０】
Ｃ．バリアシートの製造
バリアシートＢおよびＣは、上記記載により作られる。
【０２２１】
Ｄ．スキンケア組成物で処理された製品へのバリアシートの付与
処理された製品Ｄは、主ラッパーシート、フラップ接着剤カバー、および中央パッド接着剤カバーを備えるラッパーにより包まれる。処理された製品Ａのフラップは、トップシート上に折りたたまれる。フラップ接着剤カバーはバリアシートＣを備える。フラップ接着剤カバーの剥離性表面がフラップ接着剤に面するように、フラップ接着剤カバーは、フラップ接着剤を覆うように付与される。中央パッド接着剤カバーはバリアシートＢを備える。中央パッド接着剤カバーのリリース性表面が中央パッド接着剤に面するように、中央パッド接着剤カバーは、中央パッド接着剤を覆うように付与される。主ラッパーシートは、４０μｍの厚さを有する低密度ポリエチレンフィルムで作られている。主ラッパーシート、フラップ接着剤カバー、中央パッド接着剤カバーは、図５〜１０において示されるように組み合わせられる。
【０２２２】
本明細書で特定される全ての限定および範囲は、特定される限定および範囲内にあるすべてのより狭い範囲、限定、および量を含み、そのようなより狭い範囲および限定は、それらの限定および範囲が別段列挙されていなくても特許請求され得ることもまた理解されるべきである。
【０２２３】
本発明の特定の態様が例示され、記載されてきたけれども、様々の他の変更および修正が発明の精神および範囲から逸脱することなくなされ得ることは当業者にとって明瞭であろう。
【図面の簡単な説明】
【図１】  図１は、生理用ナプキンの形態における吸収製品の１態様の平面図である。
【図２】  図２は、図１において示される生理用ナプキンの線２−２に沿って取られた横方向断面図である。
【図３】  図３は、フラップの１つの中心部を通って図１の線３−３に沿って取られた横方向断面図である。
【図４】  図４は、スキンケア組成物が適用された領域を示す図１に示された生理用ナプキンの平面図である。
【図５】  図５は、図１に示される生理用ナプキンについて開放位置でバリアシートを含むラッパーの１態様の平面図である。
【図６】  図６は、生理用ナプキンのトップシート上に折りたたまれたフラップを有する図５において示されるラッパーと生理用ナプキンの平面図である。
【図７】  図７は、図５に示されるラッパーの斜視図である。
【図８】  図８は、メインラッパーシートから遠くに折り戻されるフラップファスナーカバーの遊離末端を有する図７に示されるラッパーの部分斜視図である。
【図９】  図９は、折りたたまれた形状で、ラッパーの中に生理用ナプキンを有するラッパーの（中心線に沿って取られた）断面図である。
【図１０】  図１０は、生理用ナプキンを包装するラッパーの斜視図である。
【図１１】  図１１は、生理用ナプキンの別態様についての開放位置におけるバリアシートを含むラッパーの別態様の斜視図である。
【図１２】  図１２は、剪断応力対スキンケア組成物の１例の粘度のグラフである。
【符号の説明】
２０，２２０…生理用ナプキン、２２…吸収手段、２４…フラップ、３８，２３８…トップシート、４０，２４０…バックシート、４２…吸収性コア、１００…ラッパー、３０２…主ラッパーシート
【図１】
0004762470.tif 000017
【図２】
0004762470.tif 000018
【図３】
0004762470.tif 000019
【図４】
0004762470.tif 000020
【図５】
0004762470.tif 000021
【図６】
0004762470.tif 000022
【図７】
0004762470.tif 000023
【図８】
0004762470.tif 000024
【図９】
0004762470.tif 000025
【図１０】
0004762470.tif 000026
【図１１】
0004762470.tif 000027
【図１２】
0004762470.tif 000028